(57)【要約】  フォトリアリスティックなトーキングヘッドに基づくマルチメディアコンテンツをネットワークを介して作成、流通、及び閲覧するシステム及び方法であって、サーバと、携帯電話及びその他のポータブル無線機器を含む様々な通信装置と、各ユーザがテキスト、音声、写真、及び映像コンテンツと組み合わせたフォトリアリスティックなトーキングヘッドの動画を含むマルチメディアコンテンツの作成、使用、及び共有を通じて相互に通信できるソフトウェアスイートとを備える。コンテンツは、リモートサーバへアップロードされ、携帯電話、デスクトップコンピュータ、ノート型コンピュータ、携帯情報端末など、幅広い機器を介してアクセスされる。コンテンツを含むショーは、ウェブブラウザのアプリケーション又はデジタル機器のＯＳに組み込まれたアプリケーションを使用してインターネットソーシャルネットワーキングのサイトやチャットルームなどの様々な環境でメディア再生装置を使用して閲覧でき、そしてインターネット、無線セルラーネットワーク、その他の対応ネットワークを介して流通される。
2011519079.tif 000002
【特許請求の範囲】
【請求項１】
フォトリアリスティックなトーキングヘッドのライブラリを作成し、フォトリアリスティックなトーキングヘッドのコンテンツを作成し、ブランディングをコンテンツに挿入し、及びブランディングを含むコンテンツを分散型ネットワーク上で少なくとも１つの通信装置から少なくとも１つの他の通信装置へ流通するためのフォトリアリスティックなトーキングヘッドシステムを含むハードウェア装置において実行する処理であって、
前記フォトリアリスティックなトーキングヘッドシステムは、フォトリアリスティックなトーキングヘッドのライブラリ作成装置、フォトリアリスティックなトーキングヘッドのライブラリ作成サーバ装置、フォトリアリスティックなトーキングヘッドのコンテンツ作成装置、フォトリアリスティックなトーキングヘッドのコンテンツ作成サーバ装置、ブランド関連サーバ装置、及びコンテンツ流通サーバ装置を含み、
前記処理は、
（ａ）前記フォトリアリスティックなトーキングヘッドのライブラリ作成装置において、フォトリアリスティックなトーキングヘッドのライブラリを作成するステップ、
（ｂ）前記フォトリアリスティックなトーキングヘッドのライブラリ作成サーバ装置において、前記フォトリアリスティックなトーキングヘッドのライブラリを保存するステップ、
（ｃ）前記フォトリアリスティックなトーキングヘッドのコンテンツ作成装置において、前記フォトリアリスティックなトーキングヘッドのコンテンツを作成するステップ、
（ｄ）前記フォトリアリスティックなトーキングヘッドのコンテンツ作成サーバ装置において、前記フォトリアリスティックなトーキングヘッドのコンテンツを保存するステップ、
（ｅ）前記フォトリアリスティックなトーキングヘッドのコンテンツ作成装置において、少なくとも１つのプロファイルを作成するステップ、
（ｆ）前記ブランド関連サーバ装置において、前記少なくとも１つのプロファイルを前記フォトリアリスティックなトーキングヘッドのコンテンツと相互に関連付けするステップ、
（ｇ）前記ブランド関連サーバ装置において、前記少なくとも１つのプロファイル、及び前記少なくとも１つのプロファイルと前記フォトリアリスティックなトーキングヘッドのコンテンツとの間の関連を識別する情報を保存するステップ、
（ｈ）前記フォトリアリスティックなトーキングヘッドシステムにおいて、保存した前記フォトリアリスティックなトーキングヘッドのコンテンツを前記少なくとも１つの他の通信装置へ送信する少なくとも１つの指示を、前記少なくとも１つの通信装置から受信するステップ、
（ｉ）前記フォトリアリスティックなトーキングヘッドのコンテンツ作成サーバ装置において、前記フォトリアリスティックなトーキングヘッドのコンテンツを取り出すステップ、
（ｊ）前記ブランド関連サーバ装置において、前記少なくとも１つのプロファイル及び前記フォトリアリスティックなトーキングヘッドのコンテンツとの間の関連を識別する情報を取り出すと共に、前記少なくとも１つのプロファイルを取り出すステップ、
（ｋ）前記ブランド関連サーバ装置において、前記少なくとも１つのプロファイルと関連付けられた少なくとも１つの保存されたブランドを取り出すステップ、
（ｌ）前記フォトリアリスティックなトーキングヘッドのコンテンツ作成サーバ装置において、前記少なくとも１つのプロファイル及び前記フォトリアリスティックなトーキングヘッドのコンテンツと関連付けられた前記少なくとも１つの保存されたブランドを、前記フォトリアリスティックなトーキングヘッドのコンテンツに組み込むステップ、
（ｍ）フォトリアリスティックなトーキングヘッドの前記コンテンツ流通サーバ装置から、前記少なくとも１つのプロファイル及び前記フォトリアリスティックなトーキングヘッドのコンテンツと関連付けられた前記少なくとも１つの保存されたブランドを含むフォトリアリスティックなトーキングヘッドのコンテンツを、前記少なくとも１つの他の通信装置へ送信するステップ、を含むハードウェア装置において実行する処理。
【請求項２】
前記少なくとも１つのプロファイルは、前記少なくとも１つの通信装置の少なくとも１人のユーザと関連付けられた少なくとも１つのプロファイルを含む、請求項１に記載のハードウェア装置において実行する処理。
【請求項３】
前記少なくとも１つのプロファイルは、前記少なくとも１つの他の通信装置の少なくとも１人のユーザと関連付けられた少なくとも１つのプロファイルを含む、請求項１に記載のハードウェア装置において実行する処理。
【請求項４】
前記少なくとも１つのプロファイルは、前記少なくとも１つの通信装置の少なくとも１人のユーザと関連付けられた少なくとも１つの第１のプロファイルと、前記少なくとも１つの他の通信装置の少なくとも１人の他のユーザと関連付けられた少なくとも１つの第２のプロファイルとを含む、請求項１に記載のハードウェア装置において実行する処理。
【請求項５】
前記少なくとも１つのプロファイル及び前記フォトリアリスティックなトーキングヘッドのコンテンツと関連付けられた前記少なくとも１つの保存されたブランドは、前記少なくとも１つのプロファイルと関連付けられた少なくとも１つの広告を含む、請求項１に記載のハードウェア装置において実行する処理。
【請求項６】
前記少なくとも１つのプロファイル及び前記フォトリアリスティックなトーキングヘッドのコンテンツと関連付けられた前記少なくとも１つの保存されたブランドは、前記少なくとも１つの第１のプロファイル及び前記少なくとも１つの第２のプロファイルと関連付けられた少なくとも１つの広告を含む、請求項５に記載のハードウェア装置において実行する処理。
【請求項７】
前記ブランド関連サーバ装置は、前記少なくとも１つのプロファイルと関連付けられた前記少なくとも１つの保存されたブランドを含んだ少なくとも１つのデータベースを含む、請求項１に記載のハードウェア装置において実行する処理。
【請求項８】
前記前記フォトリアリスティックなトーキングヘッドのライブラリ作成装置は、制御装置を含み、
前記配置テンプレートは、それぞれ互いに異なるとともに、配置テンプレートの頭部の傾き、配置テンプレートの頭部のうなずき及び配置テンプレートの頭部の回転要素を含む配置テンプレートの頭部の角度位置を有するフォトリアリスティックな人間のトーキングヘッドの配置テンプレートのフレームを表し、
前記配置テンプレートのフレームは、それぞれ互いに異なり、
前記配置テンプレートの頭部の角度位置は、それぞれ互いに異なり、
携帯端末はビデオカメラを備え、
前記フォトリアリスティックなトーキングヘッドのライブラリ作成装置は、前記ビデオカメラを備えた携帯端末を含み、
前記前記フォトリアリスティックなトーキングヘッドのライブラリ作成装置は、ミキサを含み、
前記携帯端末は、前記対象者への表示のためのディスプレイを含み、前記ディスプレイは、前記対象者が前記対象者の頭部の画像を選択された前記配置テンプレートの画像に合わせて容易に配置できるようにされており、
前記フォトリアリスティックなトーキングヘッドのライブラリ作成装置において、前記フォトリアリスティックなトーキングヘッドのライブラリを作成する前記ステップ（ａ）は、
前記制御装置によって、前記配置テンプレートのライブラリから前記配置テンプレートを選択するステップ、
前記ビデオカメラによって前記対象者の画像を収集するステップ、
前記端末装置によって前記対象者の収集画像を前記ミキサに送信するステップ、
前記ミキサによって、前記対象者の前記収集画像を選択された前記配置テンプレートの画像と前記ミキサにおいて混合し、それにより前記対象者及び選択された前記配置テンプレートの合成画像を作成するステップ、
前記ミキサから、前記合成画像を前記携帯端末に送信するステップ、
対象者の頭部の傾き、対象者の頭部のうなずき、及び対象者の頭部の回転成分を含む対象者の頭部の角度位置を有する前記対象者の前記頭部を、選択された前記配置テンプレートの頭部の画像に合わせて、選択された前記配置テンプレートの頭部の角度位置と実質的に同じ角度位置で、実質的に位置を合わせて配置するステップ、
前記携帯端末によって、前記実質的に位置を合わせて配置された前記対象者の画像を収集するステップ、
前記携帯端末によって、前記実質的に位置を合わせて配置された前記対象者の画像を前記フォトリアリスティックなトーキングヘッドのライブラリ作成サーバ装置へ送信するステップ、を少なくとも含み、
前記フォトリアリスティックなトーキングヘッドのライブラリ作成サーバ装置において前記フォトリアリスティックなトーキングヘッドのライブラリを保存する前記ステップ（ｂ）は、
前記フォトリアリスティックなトーキングヘッドのライブラリ作成サーバ装置によって、前記実質的に位置を合わせて配置された前記対象者の前記画像を、収集画像のライブラリに保存するステップを含み、
前記収集画像のそれぞれは異なる対象者の角度位置を有し、前記対象者の角度位置は、選択された前記配置テンプレートの頭部の角度位置と実質的に同じであり、
保存された前記画像のそれぞれは、フォトリアリスティックな人間のトーキングヘッドの異なるフレームを表す、請求項１に記載のハードウェア装置において実行する処理。
【請求項９】
前記フォトリアリスティックなトーキングヘッドのコンテンツは、フォトリアリスティックなトーキングヘッドのコンテンツ、対象者の発声に同期したフォトリアリスティックなトーキングヘッド、フォトリアリスティックなトーキングヘッド、フォトリアリスティックなトーキングヘッドの少なくとも一部、対象者の動画のふるまいを表現するフォトリアリスティックなトーキングヘッド、対象者の画像の少なくとも１つのフレーム、対象者の画像の少なくとも１つのフレームの少なくとも一部、対象者の画像の複数のフレーム、対象者の画像の少なくとも１つのフレームの複数の部分、対象者の複数の画像の複数のフレームの複数の部分、動画のフォトリアリスティックなトーキングヘッドを表す対象者の複数の画像の複数のフレーム、動画のフォトリアリスティックなトーキングヘッドを表すフォトリアリスティックなトーキングヘッドのライブラリの複数のフレーム、テキスト、少なくとも１つの画像、複数の画像、少なくとも１つの背景画像、複数の背景画像、少なくとも１つの映像、複数の映像、音声、音楽、マルチメディアコンテンツ、及びこれらの１つ以上のあらゆる組み合わせを含むグループからなる、請求項１に記載のハードウェア装置において実行する処理。
【請求項１０】
前記フォトリアリスティックなトーキングヘッドのライブラリは、複数の保存画像を含み、前記複数の保存画像のそれぞれの保存画像は、前記フォトリアリスティックなトーキングヘッドのライブラリの前記対象者の画像の異なるフレームを表し、前記フォトリアリスティックなトーキングヘッドのライブラリ作成装置において、前記フォトリアリスティックなトーキングヘッドのライブラリを作成する前記ステップ（ａ）は、
前記フォトリアリスティックなトーキングヘッドのライブラリの前記対象者の画像の前記異なるフレームを表す前記複数の保存画像のそれぞれの保存画像を、複数の異なる音素の中の異なる音素に関連付けるステップをさらに含み、
前記フォトリアリスティックなトーキングヘッドのライブラリ作成サーバ装置において前記フォトリアリスティックなトーキングヘッドのライブラリを保存する前記ステップ（ｂ）は、
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す前記複数の保存画像の中のそれぞれの関連付けられた保存画像の関連を識別する情報を保存するステップ、及び前記複数の異なる音素の中の前記異なる音素を保存するステップ、をさらに含む、請求項１に記載のハードウェア装置において実行する処理。
【請求項１１】
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す前記複数の保存画像の中のそれぞれの関連付けられた保存画像の関連を識別する情報を保存するステップは、
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す前記複数の保存画像の中のそれぞれの関連付けられた保存画像の関連を識別する情報を少なくとも１つのデータベースに保存するステップを含む、請求項１０に記載のハードウェア装置において実行する処理。
【請求項１２】
前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、前記対象者の声を表す少なくとも１つの音素を受信するステップ、
前記フォトリアリスティックなトーキングヘッドのコンテンツ作成装置において、前記対象者の声を表す前記少なくとも１つの音素とほぼ適合する、前記フォトリアリスティックなトーキングヘッドのコンテンツ作成装置に保存された複数の異なる音素の中の少なくとも１つの近接適合音素を決定するステップ、
前記フォトリアリスティックなトーキングヘッドのコンテンツ作成装置において、前記少なくとも１つの近接適合音素に対応する少なくとも１つの音素と、前記フォトリアリスティックなトーキングヘッドのライブラリの前記対象者の前記画像の前記異なるフレームを表す前記複数の保存画像の中のそれぞれの関連付けられた保存画像との間の関連を識別する前記情報を取り出すステップ、
前記フォトリアリスティックなトーキングヘッドのコンテンツ作成装置において、前記少なくとも１つの近接適合音素に対応する前記少なくとも１つの音素に対応する前記フォトリアリスティックなトーキングヘッドのライブラリの前記対象者の前記画像の前記異なるフレームを、前記フォトリアリスティックなトーキングヘッドのコンテンツに組み込むステップ、を少なくとも含む、請求項１０に記載のハードウェア装置において実行する処理。
【請求項１３】
前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、前記対象者の声を表す少なくとも２つの音素を受信するステップ、
前記フォトリアリスティックなトーキングヘッドのコンテンツ作成装置において、前記対象者の声を表す前記少なくとも２つの音素とほぼ適合する、前記フォトリアリスティックなトーキングヘッドのコンテンツ作成装置に保存された複数の異なる音素の中の少なくとも２つの近接適合音素を決定するステップ、
前記フォトリアリスティックなトーキングヘッドのコンテンツ作成装置において、前記少なくとも２つの近接適合音素に対応する少なくとも２つの音素と、前記フォトリアリスティックなトーキングヘッドのライブラリの前記対象者の前記画像の前記異なるフレームを表す前記複数の保存画像の中の少なくとも２つの関連付けられた保存画像との間の関連を識別する情報を取り出すステップ、
前記フォトリアリスティックなトーキングヘッドのコンテンツ作成装置において、前記少なくとも２つの近接適合音素に対応する前記少なくとも２つの音素に対応する前記フォトリアリスティックなトーキングヘッドのライブラリの前記対象者の前記画像の前記異なるフレームを、前記フォトリアリスティックなトーキングヘッドのコンテンツに組み込むステップを少なくとも含む、請求項１０に記載のハードウェア装置において実行する処理。
【請求項１４】
前記少なくとも２つの音素は、一連の複数の音素を含む、請求項１３に記載のハードウェア装置において実行する処理。
【請求項１５】
前記フォトリアリスティックなトーキングヘッドのライブラリは、複数の保存画像を含み、前記複数の保存画像のそれぞれの保存画像は前記フォトリアリスティックなトーキングヘッドのライブラリの対象者の画像の異なるフレームを表し、前記フォトリアリスティックなトーキングヘッドのライブラリ作成装置において、前記フォトリアリスティックなトーキングヘッドのライブラリを作成する前記ステップ（ａ）は、
前記フォトリアリスティックなトーキングヘッドのライブラリの前記対象者の画像の前記異なるフレームを表す前記複数の保存画像のそれぞれの保存画像を、複数の異なる音素の中の異なる音素に関連付けるステップをさらに含み、
前記フォトリアリスティックなトーキングヘッドのライブラリ作成サーバ装置において前記フォトリアリスティックなトーキングヘッドのライブラリを保存する前記ステップ（ｂ）は、
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す複数の保存画像の中の前記それぞれの関連付けられた保存画像の関連を識別する情報を保存するステップ、及び前記複数の異なる音素の中の前記異なる音素を保存するステップ、をさらに含む、請求項８に記載のハードウェア装置において実行する処理。
【請求項１６】
前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、対象者の声を表す少なくとも１つの音素を受信するステップ、
前記フォトリアリスティックなトーキングヘッドのコンテンツ作成装置において、前記対象者の声を表す前記少なくとも１つの音素とほぼ適合する、前記フォトリアリスティックなトーキングヘッドのコンテンツ作成装置に保存された複数の異なる音素の中の少なくとも１つの近接適合音素を決定するステップ、
前記フォトリアリスティックなトーキングヘッドのコンテンツ作成装置において、前記少なくとも１つの近接適合音素に対応する少なくとも１つの音素と、前記フォトリアリスティックなトーキングヘッドのライブラリの前記対象者の前記画像の前記異なるフレームを表す前記複数の保存画像の中のそれぞれの関連付けられた保存画像との間の関連を識別する前記情報を取り出すステップ、
前記フォトリアリスティックなトーキングヘッドのコンテンツ作成装置において、前記少なくとも１つの近接適合音素に対応する前記少なくとも１つの音素に対応する前記フォトリアリスティックなトーキングヘッドのライブラリの前記対象者の前記画像の前記異なるフレームを、前記フォトリアリスティックなトーキングヘッドのコンテンツに組み込むステップ、を少なくとも含む、請求項１５に記載のハードウェア装置において実行する処理。
【請求項１７】
前記少なくとも１つのプロファイルは、前記少なくとも１つの通信装置の少なくとも１人のユーザと関連付けられた少なくとも１つのプロファイルを含む、請求項１６に記載のハードウェア装置において実行する処理。
【請求項１８】
前記少なくとも１つのプロファイルは、前記少なくとも１つの他の通信装置の少なくとも１人のユーザと関連付けられた少なくとも１つのプロファイルを含む、請求項１６に記載のハードウェア装置において実行する処理。
【請求項１９】
前記少なくとも１つのプロファイルは、前記少なくとも１つの通信装置の少なくとも１人のユーザと関連付けられた少なくとも１つの第１のプロファイルと、前記少なくとも１つの他の通信装置の少なくとも１人の他のユーザと関連付けられた少なくとも１つの第２のプロファイルとを含む、請求項１６に記載のハードウェア装置において実行する処理。
【請求項２０】
前記少なくとも１つのプロファイル及び前記フォトリアリスティックなトーキングヘッドのコンテンツと関連付けられた前記少なくとも１つの保存されたブランドは、前記少なくとも１つのプロファイルと関連付けられた少なくとも１つの広告を含む、請求項１６に記載のハードウェア装置において実行する処理。
【請求項２１】
前記少なくとも１つのプロファイル及び前記フォトリアリスティックなトーキングヘッドのコンテンツと関連付けられた前記少なくとも１つの保存されたブランドは、前記少なくとも１つの第１のプロファイル及び前記少なくとも１つの第２のプロファイルと関連付けられた少なくとも１つの広告を含む、請求項２０に記載のハードウェア装置において実行する処理。
【請求項２２】
前記ブランド関連サーバ装置は、前記少なくとも１つのプロファイルと関連付けられた前記少なくとも１つの保存されたブランドを含む少なくとも１つのデータベースを含む、請求項１６に記載のハードウェア装置において実行する処理。
【請求項２３】
前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、対象者の声を表す少なくとも２つの音素を受信するステップ、
前記フォトリアリスティックなトーキングヘッドのコンテンツ作成装置において、前記対象者の声を表す前記少なくとも２つの音素とほぼ適合する、前記フォトリアリスティックなトーキングヘッドのコンテンツ作成装置に保存された複数の異なる音素の中の少なくとも２つの近接適合音素を決定するステップ、
前記フォトリアリスティックなトーキングヘッドのコンテンツ作成装置において、前記少なくとも２つの近接適合音素に対応する少なくとも２つの音素と、前記フォトリアリスティックなトーキングヘッドのライブラリの前記対象者の前記画像の前記異なるフレームを表す前記複数の保存画像の中の少なくとも２つ関連付けられた保存画像との間の関連を識別する情報を取り出すステップ、
前記フォトリアリスティックなトーキングヘッドのコンテンツ作成装置において、前記少なくとも２つの近接適合音素に対応する前記少なくとも２つの音素に対応する前記フォトリアリスティックなトーキングヘッドのライブラリの前記対象者の前記画像の前記異なるフレームを、前記フォトリアリスティックなトーキングヘッドのコンテンツに組み込むステップを少なくとも含む、請求項１５に記載のハードウェア装置において実行する処理。
【請求項２４】
フォトリアリスティックなトーキングヘッドのライブラリを作成し、フォトリアリスティックなトーキングヘッドのコンテンツを作成し、ブランディングをコンテンツに挿入し、及びブランディングを含むコンテンツを分散型ネットワーク上で少なくとも１つの通信装置から少なくとも１つの他の通信装置へ流通するためのフォトリアリスティックなトーキングヘッドシステムを含むハードウェアシステムであって、
前記フォトリアリスティックなトーキングヘッドシステムは、フォトリアリスティックなトーキングヘッドのライブラリ作成装置、フォトリアリスティックなトーキングヘッドのライブラリ作成サーバ装置、フォトリアリスティックなトーキングヘッドのコンテンツ作成装置、フォトリアリスティックなトーキングヘッドのコンテンツ作成サーバ装置、ブランド関連サーバ装置、及びコンテンツ流通サーバ装置を含み、
前記ハードウェアシステムは、
（ａ）前記フォトリアリスティックなトーキングヘッドのライブラリ作成装置において、フォトリアリスティックなトーキングヘッドのライブラリを作成する手段、
（ｂ）前記フォトリアリスティックなトーキングヘッドのライブラリ作成サーバ装置において、前記フォトリアリスティックなトーキングヘッドのライブラリを保存する手段、
（ｃ）前記フォトリアリスティックなトーキングヘッドのコンテンツ作成装置において、前記フォトリアリスティックなトーキングヘッドのコンテンツを作成する手段、
（ｄ）前記フォトリアリスティックなトーキングヘッドのコンテンツ作成サーバ装置において、前記フォトリアリスティックなトーキングヘッドのコンテンツを保存する手段、
（ｅ）前記フォトリアリスティックなトーキングヘッドのコンテンツ作成装置において、少なくとも１つのプロファイルを作成する手段、
（ｆ）前記ブランド関連サーバ装置において、前記少なくとも１つのプロファイルを前記フォトリアリスティックなトーキングヘッドのコンテンツと相互に関連付けする手段、
（ｇ）前記ブランド関連サーバ装置において、前記少なくとも１つのプロファイル、及び前記少なくとも１つのプロファイルと前記フォトリアリスティックなトーキングヘッドのコンテンツとの間の関連を識別する情報を保存する手段、
（ｈ）前記フォトリアリスティックなトーキングヘッドシステムにおいて、保存した前記フォトリアリスティックなトーキングヘッドのコンテンツを前記少なくとも１つの他の通信装置へ送信する少なくとも１つの指示を、前記少なくとも１つの通信装置から受信する手段、
（ｉ）前記フォトリアリスティックなトーキングヘッドのコンテンツ作成サーバ装置において、前記フォトリアリスティックなトーキングヘッドのコンテンツを取り出す手段、
（ｊ）前記ブランド関連サーバ装置において、前記少なくとも１つのプロファイル及び前記フォトリアリスティックなトーキングヘッドのコンテンツとの間の関連を識別する情報を取り出すと共に、前記少なくとも１つのプロファイルを取り出す手段、
（ｋ）前記ブランド関連サーバ装置において、前記少なくとも１つのプロファイルと関連付けられた少なくとも１つの保存されたブランドを取り出す手段、
（ｌ）前記フォトリアリスティックなトーキングヘッドのコンテンツ作成サーバ装置において、前記少なくとも１つのプロファイル及び前記フォトリアリスティックなトーキングヘッドのコンテンツと関連付けられた前記少なくとも１つの保存されたブランドを、前記フォトリアリスティックなトーキングヘッドのコンテンツに組み込む手段、
（ｍ）フォトリアリスティックなトーキングヘッドの前記コンテンツ流通サーバ装置から、前記少なくとも１つのプロファイル及び前記フォトリアリスティックなトーキングヘッドのコンテンツと関連付けられた前記少なくとも１つの保存されたブランドを含むフォトリアリスティックなトーキングヘッドのコンテンツを、前記少なくとも１つの他の通信装置へ送信する手段、を含むハードウェアシステム。
【請求項２５】
フォトリアリスティックなトーキングヘッドのライブラリを作成し、フォトリアリスティックなトーキングヘッドのコンテンツを作成し、ブランディングをコンテンツに挿入し、及びブランディングを含むコンテンツを分散型ネットワーク上で少なくとも１つの通信装置から少なくとも１つの他の通信装置へ流通するためのコンピュータ実行可能な命令が入ったフォトリアリスティックなトーキングヘッドシステムを含むコンピュータハードウェア読み込み可能な記憶媒体であって、
前記フォトリアリスティックなトーキングヘッドシステムは、フォトリアリスティックなトーキングヘッドのライブラリ作成装置、フォトリアリスティックなトーキングヘッドのライブラリ作成サーバ装置、フォトリアリスティックなトーキングヘッドのコンテンツ作成装置、フォトリアリスティックなトーキングヘッドのコンテンツ作成サーバ装置、ブランド関連サーバ装置、及びコンテンツ流通サーバ装置を含み、
１つ以上のコンピュータに、
（ａ）前記フォトリアリスティックなトーキングヘッドのライブラリ作成装置において、フォトリアリスティックなトーキングヘッドのライブラリを作成させ、
（ｂ）前記フォトリアリスティックなトーキングヘッドのライブラリ作成サーバ装置において、前記フォトリアリスティックなトーキングヘッドのライブラリを保存させ、
（ｃ）前記フォトリアリスティックなトーキングヘッドのコンテンツ作成装置において、前記フォトリアリスティックなトーキングヘッドのコンテンツを作成させ、
（ｄ）前記フォトリアリスティックなトーキングヘッドのコンテンツ作成サーバ装置において、前記フォトリアリスティックなトーキングヘッドのコンテンツを保存させ、
（ｅ）前記フォトリアリスティックなトーキングヘッドのコンテンツ作成装置において、少なくとも１つのプロファイルを作成させ、
（ｆ）前記ブランド関連サーバ装置において、前記少なくとも１つのプロファイルを前記フォトリアリスティックなトーキングヘッドのコンテンツと相互に関連付けさせ、
（ｇ）前記ブランド関連サーバ装置において、前記少なくとも１つのプロファイル、及び前記少なくとも１つのプロファイルと前記フォトリアリスティックなトーキングヘッドのコンテンツとの間の関連を識別する情報を保存させ、
（ｈ）前記フォトリアリスティックなトーキングヘッドシステムにおいて、保存した前記フォトリアリスティックなトーキングヘッドのコンテンツを前記少なくとも１つの他の通信装置へ送信する少なくとも１つの指示を、前記少なくとも１つの通信装置から受信させ、
（ｉ）前記フォトリアリスティックなトーキングヘッドのコンテンツ作成サーバ装置において、前記フォトリアリスティックなトーキングヘッドのコンテンツを取り出させ、
（ｊ）前記ブランド関連サーバ装置において、前記少なくとも１つのプロファイル及び前記フォトリアリスティックなトーキングヘッドのコンテンツとの間の関連を識別する情報を取り出させると共に、前記少なくとも１つのプロファイルを取り出させ、
（ｋ）前記ブランド関連サーバ装置において、前記少なくとも１つのプロファイルと関連付けられた少なくとも１つの保存されたブランドを取り出させ、
（ｌ）前記フォトリアリスティックなトーキングヘッドのコンテンツ作成サーバ装置において、前記少なくとも１つのプロファイル及び前記フォトリアリスティックなトーキングヘッドのコンテンツと関連付けられた前記少なくとも１つの保存されたブランドを、前記フォトリアリスティックなトーキングヘッドのコンテンツに組み込ませ、
（ｍ）フォトリアリスティックなトーキングヘッドの前記コンテンツ流通サーバ装置から、前記少なくとも１つのプロファイル及び前記フォトリアリスティックなトーキングヘッドのコンテンツと関連付けられた前記少なくとも１つの保存されたブランドを含むフォトリアリスティックなトーキングヘッドのコンテンツを、前記少なくとも１つの他の通信装置へ送信させる、コンピュータ実行可能な命令が入ったフォトリアリスティックなトーキングヘッドシステムを含むコンピュータハードウェア読み込み可能な記憶媒体。
【請求項２６】
フォトリアリスティックなトーキングヘッドのライブラリを作成し、フォトリアリスティックなトーキングヘッドのコンテンツを作成し、ブランディングをコンテンツに挿入し、及びブランディングを含むコンテンツを分散型ネットワーク上で少なくとも１つの通信装置から少なくとも１つの他の通信装置へ流通するためのフォトリアリスティックなトーキングヘッドシステムを含むハードウェア装置であって、
前記フォトリアリスティックなトーキングヘッドシステムは、フォトリアリスティックなトーキングヘッドのライブラリ作成装置、フォトリアリスティックなトーキングヘッドのライブラリ作成サーバ装置、フォトリアリスティックなトーキングヘッドのコンテンツ作成装置、フォトリアリスティックなトーキングヘッドのコンテンツ作成サーバ装置、ブランド関連サーバ装置、及びコンテンツ流通サーバ装置を含み、
前記ハードウェア装置は、
（ａ）前記フォトリアリスティックなトーキングヘッドのライブラリ作成装置においてフォトリアリスティックなトーキングヘッドのライブラリを作成する、フォトリアリスティックなトーキングヘッドのライブラリ作成部、
（ｂ）前記フォトリアリスティックなトーキングヘッドのライブラリ作成サーバ装置において前記フォトリアリスティックなトーキングヘッドのライブラリを保存する、フォトリアリスティックなトーキングヘッドのライブラリ保存部、
（ｃ）前記フォトリアリスティックなトーキングヘッドのコンテンツ作成装置において前記フォトリアリスティックなトーキングヘッドのコンテンツを作成する、フォトリアリスティックなトーキングヘッドのコンテンツ作成部、
（ｄ）前記フォトリアリスティックなトーキングヘッドのコンテンツ作成サーバ装置において前記フォトリアリスティックなトーキングヘッドのコンテンツを保存する、フォトリアリスティックなトーキングヘッドの保存部、
（ｅ）前記フォトリアリスティックなトーキングヘッドのコンテンツ作成装置において少なくとも１つのプロファイルを作成する、フォトリアリスティックなトーキングヘッドのプロファイル作成部、
（ｆ）前記ブランド関連サーバ装置において前記少なくとも１つのプロファイルを前記フォトリアリスティックなトーキングヘッドのコンテンツと相互に関連付けする関連付け部、
（ｇ）前記ブランド関連サーバ装置において前記少なくとも１つのプロファイル、及び前記少なくとも１つのプロファイルと前記フォトリアリスティックなトーキングヘッドのコンテンツとの間の関連を識別する情報を保存するブランド挿入保存部、
（ｈ）前記フォトリアリスティックなトーキングヘッドシステムにおいて保存した前記フォトリアリスティックなトーキングヘッドのコンテンツを前記少なくとも１つの他の通信装置へ送信する少なくとも１つの指示を前記少なくとも１つの通信装置から受信する受信部、
（ｉ）前記フォトリアリスティックなトーキングヘッドのコンテンツ作成サーバ装置において前記フォトリアリスティックなトーキングヘッドのコンテンツを取り出す、フォトリアリスティックなトーキングヘッドのコンテンツ取り出し部、
（ｊ）前記ブランド関連サーバ装置において前記少なくとも１つのプロファイル及び前記フォトリアリスティックなトーキングヘッドのコンテンツとの間の関連を識別する情報を取り出すと共に、前記少なくとも１つのプロファイルを取り出すブランド関連取り出し部、
（ｋ）前記ブランド関連サーバ装置において前記少なくとも１つのプロファイルと関連付けられた少なくとも１つの保存されたブランドを取り出すブランド取り出し部、
（ｌ）前記フォトリアリスティックなトーキングヘッドのコンテンツ作成サーバ装置において前記少なくとも１つのプロファイル及び前記フォトリアリスティックなトーキングヘッドのコンテンツと関連付けられた前記少なくとも１つの保存されたブランドを前記フォトリアリスティックなトーキングヘッドのコンテンツに組み込む組み込み部、
（ｍ）フォトリアリスティックなトーキングヘッドの前記コンテンツ流通サーバ装置から前記少なくとも１つのプロファイル及び前記フォトリアリスティックなトーキングヘッドのコンテンツと関連付けられた前記少なくとも１つの保存されたブランドを含むフォトリアリスティックなトーキングヘッドのコンテンツを前記少なくとも１つの他の通信装置へ送信する送信部、を含むハードウェア装置。
【発明の詳細な説明】
【技術分野】
【０００１】
本願は、２００８年３月９日付け出願の米国仮特許出願６１／０３５，０２２の利益を主張し、その全ての内容は、ここに参照により取り入れられる。上記参照文献は、本明細書で述べる本発明の先行技術として認められるものではない。
【０００２】
本発明は、概してトーキングヘッドに関し、さらに詳しくは、写真のような現実感のある（以下、「フォトリアリスティック」という）トーキングヘッド、フォトリアリスティックな頭部のショー、フォトリアリスティックな頭部のショーのコンテンツを作成、流通、及び閲覧するためのシステム及び方法に関する。
【背景技術】
【０００３】
デジタル通信は、現在の生活の重要な部分である。個人や企業は、無線セルラーネットワーク及びインターネットを含むあらゆる種類のネットワークを介して互いに通信するが、それぞれのネットワークの種類は、通常は帯域幅が限定されている。無線及び有線ネットワークによってユーザ間で情報を伝達し、通信の必要性を満たすために、パーソナルコンピュータ、携帯端末、携帯情報端末（ＰＤＡ）、インターネットベースの携帯電話、電子メールやインスタントメッセージサービス、ＰＣ電話、ビデオ会議、及び他の適切な手段が使用される。情報は、ビデオやオーディオ情報を有する動画及びテキストベースの両方のフォーマットで伝達されているが、人の動画を用いる傾向にあり、これによって、個性を伝えること、会話の重要点の強調及び感情的内容の追加が可能である。
【０００４】
トーキングヘッドの動画画像を生成するために様々な方法が使用されてきた。これにより、例えばニュースキャスターがより個人の容姿で見えるようになったが、これらの動画画像は、未だ一般的には個人の個性を伝え、会話の重要点を強調するとともに、感情的内容を追加するために必要なフォトリアリスティックな品質には欠けており、不明瞭であることが多く、口合わせができておらず、現在のネットワーク及び／又はインターネットのほとんどで一般的に利用可能な帯域幅よりもはるかに大きい帯域幅を必要とし、作成が困難で時間がかかる。ほとんどの場合には、ファイルサイズを縮小するために圧縮し、ダウンロードにかかる時間を短縮するためにストリーム化すると、ビデオ画像を不明瞭化するアーチファクトの結果として、動きのある実際の人間のフォトリアリスティックな画像は制限され、かつ／又は低品質であった。
【０００５】
ニュース報道は、電子通信媒体の基本要素であり、ニュースキャスターの形態は、ニュース報道に関連したグラフィックや写真、フォトリアリスティックな品質を有して個人の容姿で見えるようになっているトーキングヘッドの動画画像の使用によって増強されており、このようなトーキングヘッドを使用することができる多数の用途の中の１つである。
【０００６】
電子画像、特に頭部、頭部の作製技術、及び／又は人体に関連して、電子画像を作製、作成及び操作するための様々な方法や装置が開示されてきた。しかしながら、どの方法や装置も、携帯端末、携帯電話、携帯情報端末、スマートフォン等で使用するためのこれらの前述の要求を十分満たさない。
【０００７】
特許文献１（Ｃｈｅｉｋｙら）は、テンプレートと、対象者の画像出力信号を有するビデオカメラと、テンプレートと対象者の画像出力信号とを混合して合成画像及び合成画像を表現する出力信号を作るためのミキサと、プロンプタと、保存手段とを含み、プロンプタは、ビデオカメラと対象者の間の部分反射鏡と、ミキサの合成画像を表現する出力信号を受信するための入力部とを有し、部分反射鏡は、それを通してビデオカメラが対象者画像を収集し、対象者が合成画像を見て、対象者の画像をテンプレートに合わせて配置できるようにされ、保存手段は、対象者の収集画像を表現するビデオカメラの出力信号を受信し、テンプレートにほぼ位置を合わせた対象者の画像を保存するための入力部を有するフォトリアリスティックなトーキングヘッド作成システム及び方法を開示している。
【０００８】
特許文献２（Ｃｈｅｉｋｙ等）は、テンプレートと、対象者の画像出力信号を有するビデオカメラと、テンプレートと対象者の画像出力信号とを混合して合成画像及び合成画像を表現する出力信号にするためのミキサプログラムを有するコンピュータと、合成画像として対象者に対して表示するためにモニタへ合成画像信号を伝達するようにされたコンピュータと、ビデオカメラが対象者の画像を収集し、対象者が合成画像を見て、対象者がテンプレートに合わせて対象者の画像を配置できるようにされたモニタ及びビデオカメラと、対象者の収集画像を表現するビデオカメラの出力信号を受信し、テンプレートにほぼ位置を合わせた対象者の画像を保存するための入力部を有する保存手段とを含む、自分でできるフォトリアリスティックなトーキングヘッド作成システム及び方法を開示している。
【先行技術文献】
【特許文献】
【０００９】
【特許文献１】米国特許第６，９１９，８９２号明細書
【特許文献２】米国特許第７，０２７，０５４号明細書
【発明の概要】
【発明が解決しようとする課題】
【００１０】
しかしながら、今日の世界では、通信機器はさらに小型化して可搬性が高まり、人はグローバルに相互通信可能となっている。携帯電話やその他の無線機器などの非常に小型なポータブル機器を用いて、フォトリアリスティックなトーキングヘッドのライブラリを作成するために使用可能なネットワークを介して、フォトリアリスティックなトーキングヘッドに基づくマルチメディアコンテンツを作成、流通、及び閲覧するシステム及び方法が求められている。
【００１１】
フォトリアリスティックなトーキングヘッドに基づくマルチメディアコンテンツをネットワークを介して作成、流通、及び閲覧するシステム及び方法、特に、フォトリアリスティックなトーキングヘッド、フォトリアリスティックな頭部のショー、フォトリアリスティックな頭部のショーのコンテンツを作成、流通、及び閲覧するためのシステム及び方法が必要である。フォトリアリスティックなトーキングヘッドに基づくマルチメディアコンテンツをネットワークを介して作成、流通、及び閲覧するシステム及び方法は、サーバと、携帯電話及びその他のポータブル無線機器を含む通信装置と、ソフトウェア一式とを備えることができ、ソフトウェア一式は、各ユーザがテキスト、音声、写真、及び映像コンテンツと組み合わせたフォトリアリスティックなトーキングヘッドの動画を含むマルチメディアコンテンツの作成、使用、及び共有を通じて相互に通信することを可能にする。コンテンツは、少なくとも１つのリモートサーバへアップロードされ、携帯電話、デスクトップコンピュータ、ノート型コンピュータ、携帯情報端末、スマートフォンなどの幅広い機器を介してアクセスされることが可能であるべきである。コンテンツを含むショーは、ウェブブラウザのアプリケーション又はデジタル機器のＯＳに組み込まれたアプリケーションを用いて、インターネットソーシャルネットワーキングのサイトやチャットルームなどの様々な環境でメディア再生装置を使用して閲覧され、さらにインターネット、無線セルラーネットワーク、その他の適したネットワークを介して流通されるべきである。
【００１２】
したがって、フォトリアリスティックなトーキングヘッドに基づくマルチメディアコンテンツをネットワークを介して作成、流通、及び閲覧するシステム及び方法、特に、フォトリアリスティックなトーキングヘッド、フォトリアリスティックな頭部のショー、フォトリアリスティックな頭部のショーのコンテンツを作成、流通、及び閲覧するためのシステム及び方法が必要であり、それによってユーザは、トーキングヘッドのフォトリアリスティックな動画、トーキングヘッドのショー、及びトーキングヘッドのショーのコンテンツを迅速、容易、かつ手軽に作成することができる。このフォトリアリスティックなトーキングヘッドに基づくマルチメディアコンテンツをネットワークを介して作成、流通、及び閲覧するシステム及び方法は、個人の個性を伝え、会話の重要点を強調するとともに、感情的内容を追加するために必要なフォトリアリスティックな品質を有する画像を生み出し、高品質な口合わせを備えた動画のフォトリアリスティックな画像を明瞭かつ明確に表示するとともに、ほとんどの現在のネットワーク及び／又はインターネット上で一般的に利用可能な帯域幅よりも少ない帯域幅しか必要とせず、さらに様々な携帯端末やポータブル機器で使用可能でなければならない。
【００１３】
このフォトリアリスティックなトーキングヘッドに基づくマルチメディアコンテンツをネットワークを介して作成、流通、及び閲覧するシステム及び方法は、無線セルラーネットワーク、インターネット、ＷｉＦｉネットワーク、ＷｉＭａｘネットワーク、イントラネット、その他の適したネットワークを含む、様々なネットワークを介して使用可能でなければならない。
【００１４】
このフォトリアリスティックなトーキングヘッドに基づくマルチメディアコンテンツをネットワークを介して作成、流通、及び閲覧するシステム及び方法は、実際の人間の輪郭を捉え、様々な角度位置におけるフォトリアリスティックなトーキングヘッドのライブラリを作成できなければならない。したがって、このフォトリアリスティックなトーキングヘッドのライブラリは、フォトリアリスティックな頭部のショー及びショーのコンテンツを作成するために、ネットワークを介してフォトリアリスティックなトーキングヘッドに基づくマルチメディアコンテンツを作成、流通、及び閲覧するシステム及び方法のツールを使用して、例えば実際の人間又はユーザによって動画の上演を作成するために使用できる。
【００１５】
人又はユーザは、個人を識別でき、会話の重要点を強調して、感情的内容を追加するのに必要なフォトリアリスティックな品質を有する、自分のフォトリアリスティックなトーキングヘッドのショーを作成できなければならない。この動画のフォトリアリスティックな画像は、高品質な口合わせを備えた動画のトーキングヘッドを明確かつ明瞭に表示し、必要とする帯域幅が現在の大部分のネットワークやインターネットで通常利用可能な帯域幅よりも狭くなければならない。
【００１６】
フォトリアリスティックなトーキングヘッドのライブラリは、通常のコンピュータ操作技術を有する個人によって迅速、容易、かつ効果的に作成することが可能であり、様々な角度位置にある実際の人間の画像の混合及び配置合わせのためのテンプレートとして用いられるマーカー及び／又はガイドを使用して、作成時間を最小限にするものでなくてはならない。
【００１７】
様々なマーカーライブラリ及び／又はガイドライブラリのライブラリが提供され、それぞれのマーカーライブラリ及び／又はガイドライブラリは、その中に様々なマーカー及び／又はガイドを有し、それぞれのマーカー及び／又はガイドは、異なる角度位置に対応しなくてはならない。それぞれのマーカーライブラリ及び／又はガイドライブラリは、ユーザの様々な角度位置に関して顔の特徴に関連付けられ、互いに異なり、それによってユーザは、様々なマーカーライブラリ及び／又はガイドライブラリからなるライブラリから、ユーザの顔の特徴及び特性に近い顔の特徴及び特性を持つマーカーライブラリ及び／又はガイドライブラリを選択するものでなければならない。
【００１８】
トーキングヘッドは、ニュース報道に関連してニュースキャスターの形式で使用されることができ、多数及び多様な用途での使用のために、トーキングヘッドの動画画像の使用は、フォトリアリスティックな品質を持つとともに擬人化された外観を生み出すことができなければならない。
【００１９】
フォトリアリスティックなトーキングヘッドに基づくマルチメディアコンテンツをネットワークを介して作成、流通、及び閲覧するシステム及び方法は、任意により、実際の人間を撮影したデジタルビデオテープの映像から、コンピュータベースの二次元画像のライブラリを作成することもできなければならない。ユーザは、規則的な頭部の動きについてテンプレートを提供するために、パーソナルコンピュータソフトウェアを用いて混合され、コンピュータモニタ又はその他の適当な機器に表示される３Ｄ描画ガイド画像又はテンプレートのマーカー及び／又はガイドのライブラリを操作することができなければならない。対象者又はニュースキャスターは、正しい姿勢配置を維持すると同時に、一連の顔の表情、まばたき、眉毛の動きを完了し、目標の音素又は口の形を含んだ語句を話すためにマーカー及び／又はガイドを使用することができなければならない。この行動は、任意に高解像度デジタルビデオテープ上に連続して記録することができなければならない。ユーザは、任意により、各コマが対象者の参照ソースビデオフレームに相当する異なる頭部の位置の配置、顔の表情及び口の形状を含む選択された個別のビデオフレームを使用し、画像編集ソフトウェアによって、トーキングヘッドのライブラリを組み立てることができなければならない。フォトリアリスティックなトーキングヘッドに基づくマルチメディアコンテンツをネットワークを介して作成、流通、及び閲覧するシステム及び方法によって生成される出力は、実際のビデオを使用する代わりに、パーソナルコンピュータ、ＰＤＡ又は携帯電話上の多様な用途及び表示に使用することができなければならない。自分でできるフォトリアリスティックなトーキングヘッドの作成システムは、任意により、スクリプトコマンドからトーキングヘッドの表示を作成することもできなければならない。
【００２０】
フォトリアリスティックなトーキングヘッドに基づくマルチメディアコンテンツをネットワークを介して作成、流通、及び閲覧するシステム及び方法は、ポータブル機器及びポータブル無線機器で使用することができなければならない。これらのポータブル機器及びポータブル無線機器には、デジタル通信端末、携帯情報端末、携帯電話、ノート型コンピュータ、ビデオ電話、ビデオカメラ及びビデオ表示装置付きデジタル通信端末、並びにその他の適当な機器が含まれる。
【００２１】
ポータブル機器及びポータブル無線機器は、携帯端末でなければならず、ポータブル無線機器は、無線で信号を送受信できなければならない。
【００２２】
対象者は、ビデオカメラ等の機器で自分自身の画像を捉え、機器のビデオディスプレイ上で捉えた画像のライブ映像を表示することができなければならない。
【００２３】
対象者のマーカー及び／又はガイド画像は、自分でできるフォトリアリスティックなトーキングヘッド作成システムのポータブル機器及び／又はポータブル無線機器のディスプレイ上で、重ね合わせることができなければならない。
【００２４】
このような端末のそれぞれのディスプレイは、対象者の収集画像と選択された配置テンプレートとの合成画像を表示することができなければならない。ディスプレイ及びビデオカメラによって、ビデオカメラは対象者の画像を収集し、対象者は合成画像を見て、自分の頭部の画像を指定の配置テンプレートの頭部の角度と実質的に同じ角度で配置テンプレートの頭部に合わせて配置することができなければならない。
【００２５】
このようなポータブル機器及び／又はポータブル無線機器は、有線又は無線接続を介してパーソナルコンピュータに、並びに／又はリアルタイムビデオストリーミング及び／若しくは適当な信号の送信をサポートする十分な帯域幅のネットワークを介してリモートサーバに接続することができなければならない。典型的なネットワークは、セルラーネットワーク、無線ネットワーク、無線デジタルネットワークや、インターネット、グローバルネットワーク、広域ネットワーク、都市規模ネットワーク又はローカルエリアネットワーク等の分散ネットワーク、及びその他の適当なネットワークを含む。
【００２６】
２人以上のユーザは、いかなる時であってもリモートサーバに接続することができなければならない。記録されたビデオストリーム及び／又は静止画像は、処理してフォトリアリスティックなトーキングヘッドのライブラリを作成するために、コンピュータ及び／又はサーバに送信されなければならない。又は任意により、処理は、端末自体で実行することができなければならない。
【００２７】
ソフトウェアアプリケーション及び／又はハードウェアは、このような機器、コンピュータ及び／又はリモートサーバ内に存在することができ、対象者の収集画像と配置テンプレートとの合成信号を分析して、マーカー及び／又はガイド画像に対する配置の正確性を決定しなければならない。
【００２８】
フォトリアリスティックなトーキングヘッドに基づくマルチメディアコンテンツをネットワークを介して作成、流通、及び閲覧するシステム及び方法は、合成によって生成された音声、実際に記録された人間の音声、又は生の人間の技術者によって作成され、リアルタイムで対象者に通信される音声プロンプトを使用して、そして代わりに及び／又は追加でビデオプロンプトを使用して、配置プロセス中にユーザをリアルタイムで支援することができなければならない。そして、対象者は、プロンプトの情報に従って、自分の頭部の位置を調整することができ、適切に配置すると、キャプチャープロセスの会話部分を開始することができる。音声及び／又はビデオプロンプトは、シーケンスを繰り返す場合、キャプチャー及び／又は配置プロセス中に正しい配置が失われる場合、及び／又はセッションを開始及び／又は停止する場合等、その他の作業でも対象者を支援するために使用することができる。
【００２９】
電子画像、特に頭部、頭部の作製技術、及び／又は人体に関連して、電子画像を作製、作成及び操作するための様々な方法や装置が開示されてきた。しかしながら、どの方法や装置も、前述のこれらの必要性を十分満たさない。
【００３０】
１つの画面上で同時に２つ以上の画像を表示するための様々な装置や方法、並びに混合、組み合わせ、重ね合わせ、融合及び統合装置や方法が知られている。しかしながら、どの方法や装置も、前述の必要性を十分満たさない。
【００３１】
コンテンツを制作、作成、及び流通する様々な方法や装置が知られている。しかしながら、どの方法及び装置も、前述の必要性を十分満たさない。
【００３２】
上述の理由によって、ユーザが、トーキングヘッドのフォトリアリスティックな動画画像を迅速、容易、かつ手軽に生成することができる、フォトリアリスティックなトーキングヘッドに基づくマルチメディアコンテンツをネットワークを介して作成、流通、及び閲覧するシステム及び方法に対する必要性が存在する。フォトリアリスティックなトーキングヘッドに基づくマルチメディアコンテンツをネットワークを介して作成、流通、及び閲覧するシステム及び方法は、個人の個性を伝え、会話の重要点を強調するとともに、感情的内容を追加するために必要なフォトリアリスティックな品質を有する画像を生み出し、高品質な口合わせを備えた動画のフォトリアリスティックな画像を明瞭かつ明確に表示するとともに、ほとんどの現在のネットワーク及び／又はインターネット上で一般的に利用可能な帯域幅よりも少ない帯域幅しか必要としないものでなくてはならない。
【００３３】
フォトリアリスティックなトーキングヘッドに基づくマルチメディアコンテンツをネットワークを介して作成、流通、及び閲覧するシステム及び方法は、サーバと、携帯電話及びその他のポータブル無線機器を含む通信装置と、ソフトウェア一式とを備えることができ、ソフトウェア一式は、各ユーザがテキスト、音声、写真、及び映像コンテンツと組み合わせたフォトリアリスティックなトーキングヘッドの動画を含むマルチメディアコンテンツの作成、使用、及び共有を通じて相互に通信することを可能にする。コンテンツは、少なくとも１つのリモートサーバへアップロードされ、携帯電話、デスクトップコンピュータ、ノート型コンピュータ、携帯情報端末、スマートフォンなどの幅広い機器を介してアクセスされることが可能であるべきである。コンテンツを含むショーは、ウェブブラウザのアプリケーション又はデジタル機器のＯＳに組み込まれたアプリケーションを用いて、インターネットソーシャルネットワーキングのサイトやチャットルームなどの様々な環境でメディア再生装置を使用して閲覧され、さらにインターネット、無線セルラーネットワーク、その他の適したネットワークを介して流通されるべきである。
【課題を解決するための手段】
【００３４】
本発明は、フォトリアリスティックなトーキングヘッドに基づくマルチメディアコンテンツをネットワークを介して作成、流通、及び閲覧するシステム及び方法であって、サーバと、携帯電話及びその他のポータブル無線機器を含む通信装置と、ソフトウェア一式とを備え、ソフトウェア一式は、各ユーザがテキスト、音声、写真、及び映像コンテンツと組み合わせたフォトリアリスティックなトーキングヘッドの動画を含むマルチメディアコンテンツの作成、使用、及び共有を通じて相互に通信することを可能にする。コンテンツは、少なくとも１つのリモートサーバへアップロードされ、携帯電話、デスクトップコンピュータ、ノート型コンピュータ、携帯情報端末、スマートフォンなどの幅広い機器を介してアクセスされる。コンテンツを含むショーは、ウェブブラウザのアプリケーション又はデジタル機器のＯＳに組み込まれたアプリケーションを用いて、インターネットソーシャルネットワーキングのサイトやチャットルームなどの様々な環境でメディア再生装置を使用して閲覧でき、さらにインターネット、無線セルラーネットワーク、その他の適したネットワークを介して流通できる。
【００３５】
このフォトリアリスティックなトーキングヘッドに基づくマルチメディアコンテンツをネットワークを介して作成、流通、及び閲覧するシステム及び方法によって、ユーザは、トーキングヘッドのフォトリアリスティックな動画画像を迅速、容易、かつ手軽に作成することができる。このフォトリアリスティックなトーキングヘッドに基づくマルチメディアコンテンツをネットワークを介して作成、流通、及び閲覧するシステム及び方法は、個人の個性を伝え、会話の重要点を強調するとともに、感情的内容を追加するために必要なフォトリアリスティックな品質を有する画像を生み出し、高品質な口合わせを備えた動画のフォトリアリスティックな画像を明瞭かつ明確に表示するとともに、ほとんどの現在のネットワーク及び／又はインターネット上で一般的に利用可能な帯域幅よりも少ない帯域幅しか必要としない。
【００３６】
このフォトリアリスティックなトーキングヘッドに基づくマルチメディアコンテンツをネットワークを介して作成、流通、及び閲覧するシステム及び方法は、携帯電話、携帯情報端末、スマートフォン、携帯端末、及びその他の無線機器などのポータブル無線機器を使用してフォトリアリスティックなトーキングヘッドのライブラリを作成するために使用でき、無線セルラーネットワーク、インターネット、ＷｉＦｉネットワーク、ＷｉＭａｘネットワーク、ボイス・オーバー・アイピー（ＶＯＩＰ）ネットワーク、イントラネット、及びその他の適したネットワークを含む様々なネットワークを介して使用可能である。
【００３７】
上記のポータブル無線機器は、デジタル通信機器、携帯情報端末、携帯電話、ノート型コンピュータ、ビデオ電話、スマートフォン、ビデオカメラ及び映像ディスプレイ付きデジタル通信機器、及びその他の適した装置、特に、信号の無線送受信が可能なポータブル無線機器を含む。典型的なネットワークは、セルラーネットワーク、無線ネットワーク、無線デジタルネットワークや、インターネット、グローバルネットワーク、広域ネットワーク、都市規模ネットワーク、ローカルエリアネットワーク、ＷｉＦｉネットワーク、ＷｉＭａｘネットワーク、ボイス・オーバー・アイピー（ＶＯＩＰ）などの分散ネットワーク、及びその他の適したネットワークを含む。
【００３８】
人又はユーザは、個人の個性を伝え、会話の重要点を強調するとともに、感情的内容を追加するために必要なフォトリアリスティックな品質を有する、ショーのコンテンツを含んだフォトリアリスティックなトーキングヘッドのショーを自分で作成できる。この動画のフォトリアリスティックな画像は、高品質な口合わせを備え、動画のトーキングヘッドを明確かつ明瞭に表示するとともに、ほとんどの現在のネットワーク及び／又はインターネット上で一般的に利用可能な帯域幅よりも狭い帯域幅しか必要としない。
【００３９】
フォトリアリスティックなトーキングヘッドのライブラリは、通常のコンピュータ操作技術を有する個人によって迅速、容易、かつ効果的に作成することが可能であり、様々な角度位置にある実際の人間の画像の混合及び配置合わせのためのテンプレートとして用いられるマーカー及び／又はガイドを使用して、作成時間を最小限にすることができる。対象者のマーカー及び／又はガイド画像は、ボータブル機器及び／又はポータブル無線機器のディスプレイ上で、重ね合わせることができる。
【００４０】
様々なマーカーライブラリ及び／又はガイドライブラリのライブラリが提供され、それぞれのマーカーライブラリ及び／又はガイドライブラリは、その中に様々なマーカー及び／又はガイドのセットを含み、それぞれのマーカー及び／又はガイドのセットは、異なる角度位置に対応する。それぞれのマーカーライブラリ及び／又はガイドライブラリは、ユーザの異なる角度位置に対応する顔の特徴と対応し、互いに異なり、それによってユーザは、様々なマーカーライブラリ及び／又はガイドライブラリからなるライブラリから、ユーザの顔の特徴及び特性に近い顔の特徴及び特性を持つ特定のマーカーライブラリ及び／又はガイドライブラリを選択できる。
【００４１】
携帯端末及びその他の適した装置のそれぞれのディスプレイは、対象者の収集画像と選択されたマーカー及び／又は選択された配置テンプレートとの合成画像を表示できる。ディスプレイ及びビデオカメラによって、ビデオカメラは対象者の画像を収集し、対象者は合成画像を見て、自分の画像をマーカー及び／又は配置テンプレートに合わせて配置することができる。マーカー及び／又はガイドは、配置プロセスの間にリモートサーバから取り出してもよいが、代わりに無線携帯端末又はその他の適した装置に常駐させてもよい。
【００４２】
フォトリアリスティックな頭部のショー及び関連のコンテンツは、無線携帯端末を使用して作成してもよい。
【００４３】
トーキングヘッドは、ニュース報道に関連してニュースキャスターの形式で使用されることができ、多数及び多様な用途での使用のために、トーキングヘッドの動画画像の使用は、フォトリアリスティックな品質を持つとともに擬人化された外観を生み出すことができる。
【００４４】
対象者又はユーザは、ビデオカメラ等の機器で自分自身の画像を捉え、機器のビデオディスプレイ上で捉えた画像のライブ映像を見ることができる。対象者又はユーザは、フォトリアリスティックなトーキングヘッドのショーと関連したコンテンツを含むフォトリアリスティックなトーキングヘッドのショーを作成することができる。
【００４５】
本発明のこれらの及びその他の特徴、態様及び利点は、以下の説明、請求項及び図面を参照することで、理解が深まる。
【図面の簡単な説明】
【００４６】
【図１】本発明に従うフォトリアリスティックなトーキングヘッドに基づくマルチメディアコンテンツをネットワークを介して作成、流通、及び閲覧する方法のステップの概略図である。
【図２】フォトリアリスティックなトーキングヘッドのライブラリを示す図である。
【図３】配置テンプレートとして使用されるガイドの図である。
【図４】図２のフォトリアリスティックなトーキングヘッドのライブラリに組み込まれる対象者の図である。
【図５】図３のガイドと配置を合わせた図４の対象者の合成図である。
【図６】図６Ａは、図３のガイドから水平方向に移動させた図４の対象者の合成図である。図６Ｂは、図３のガイドから縦方向に移動させた図４の対象者の合成図である。図６Ｃは、近接して配置された図４の対象者と図３のガイドとの合成図である。
【図７】特定の角度位置での図２のフォトリアリスティックなトーキングヘッドのライブラリの選択された画像の拡大画像、及び図２のフォトリアリスティックなトーキングヘッドのライブラリの選択された画像の特定の角度位置での異なる目の特徴の画像及び異なる口の特徴の画像のそれぞれを示す図である。
【図８】図７の特定の角度位置での図２のフォトリアリスティックなトーキングヘッドのライブラリの選択された画像の中の一般的な画像と、図７の特定の角度位置で目を閉じた対象者と目を大きく開いた対象者によって取得された様々な目の特徴の中の一般的な画像と、選択された音声を話している対象者によって取得された図７の特定の角度位置での様々な口の特徴の中の一般的な画像を示す図である。
【図９】図８の様々な目の特徴及び様々な口の特徴を取得するための、対象者の一般的な目の領域及び一般的な口の領域を示す図である。
【図１０】傾き、回転及びうなずきベクトルを有する座標系を示す図である。
【図１１】任意のラベルのために使用することができる、任意の命名規則を示す図である。
【図１２】ガイドライブラリを示す図である。
【図１３】図１３Ａは、ガイドのワイヤメッシュモデルの図である。図１３Ｂは、フォンシェーディングを有する図１３Ａのガイドのワイヤメッシュモデルの図である。図１３Ｃは、フォンシェーディング、望ましいトーキングヘッド又は好ましいニュースキャスターの画像にマッピングされた写真を有する図１３Ｂのガイドの図である。
【図１４】図１４Ａは、一般的な顔の特徴を示す別のガイドの図である。図１４Ｂは、他の一般的な顔の特徴を示す別のガイドの図である。図１４Ｃは、他の一般的な顔の特徴を示す別のガイドの図である。図１４Ｄは、他の一般的な顔の特徴を示す別のガイドの図である。図１４Ｅは、他の一般的な顔の特徴を示す、図３のガイドの別の図である。図１４Ｆは、他の一般的な顔の特徴を示す別のガイドの図である。
【図１５】図１４Ａ〜図１４Ｆのガイドに関連付けられたガイドライブラリのライブラリを示す図である。
【図１６】本発明のフォトリアリスティックなトーキングヘッドを作成する方法を示す概略図である。
【図１７】図１４のフォトリアリスティックなトーキングヘッドを作成する方法の追加の任意ステップを示す概略図である。
【図１８Ａ】図３のガイド又は配置テンプレートの代わりとして配置の際に使用できるマーカーを表示した別の対象者の図であり、位置を合わされた対象者を示す図である。
【図１８Ｂ】図１８Ａの対象者がずれて配置された図で、対象者が完全に位置を合わされていない時のマーカーの表示を示す図である。
【図１８Ｃ】図１８Ａの角度とは異なる角度の図１８Ａの対象者の図であり、位置を合わされた対象者を示す図である。
【図１９】本発明に従って構成された、自分でできるフォトリアリスティックなトーキングヘッド作成システムの概略図である。
【図２０】自分でできるフォトリアリスティックなトーキングヘッド作成システムの別の実施形態の部分ブロック図及び図表示である。
【図２１】図１９の自分でできるフォトリアリスティックなトーキングヘッド作成システムのサーバと無線で通信している、図１９の自分でできるフォトリアリスティックなトーキングヘッド作成システムの概略図である。
【図２２】図２０の自分でできるフォトリアリスティックなトーキングヘッド作成システムのサーバと無線で通信している、図２０の自分でできるフォトリアリスティックなトーキングヘッド作成システムの概略図である。
【図２３】複数の携帯電話が図２１の自分でできるフォトリアリスティックなトーキングヘッド作成システムのサーバと無線で通信している、自分でできるフォトリアリスティックなトーキングヘッド作成システムの概略図である。
【図２４】複数の携帯電話が図２２の自分でできるフォトリアリスティックなトーキングヘッド作成システムのサーバと無線で通信している、自分でできるフォトリアリスティックなトーキングヘッド作成システムの概略図である。
【図２５】複数のＰＤＡが図２１の自分でできるフォトリアリスティックなトーキングヘッド作成システムのサーバと無線で通信している、自分でできるフォトリアリスティックなトーキングヘッド作成システムの概略図である。
【図２６】複数の携帯電話がインターネットによってサーバと通信している、自分でできるフォトリアリスティックなトーキングヘッド作成システムの概略図である。
【図２７】複数の携帯電話が図２１の自分でできるフォトリアリスティックなトーキングヘッド作成システムのサーバと無線セルラーネットワークを介してインターネットによって通信している、自分でできるフォトリアリスティックなトーキングヘッド作成システムの概略図である。
【図２８】複数の携帯電話が図２２の自分でできるフォトリアリスティックなトーキングヘッド作成システムのサーバと無線セルラーネットワークを介してインターネットによって無線で通信している、自分でできるフォトリアリスティックなトーキングヘッド作成システムの概略図である。
【図２９】複数の携帯電話及びその他の機器が自分でできるフォトリアリスティックなトーキングヘッド作成システムのサーバと、インターネット及び／又はアナログ音声通信のみ可能な旧来の電話システムに接続されたセルラーネットワークを介して無線で通信している、自分でできるフォトリアリスティックなトーキングヘッド作成システムの概略図である。
【図３０】それぞれがサーバに接続されたインターネット及び無線セルラーネットワークに無線で接続される、自分でできるフォトリアリスティックなトーキングヘッド作成システムの概略図である。
【図３１】本発明のフォトリアリスティックなトーキングヘッドを作成する代替方法の概略図である。
【図３２】図３１のフォトリアリスティックなトーキングヘッドを作成する方法の追加の任意ステップの概略図である。
【図３３】図３１のフォトリアリスティックなトーキングヘッドを作成する方法の追加の任意ステップの概略図である。
【図３４】ビデオキャプチャー装置のブロック図である。
【図３５】本発明に従って構成された、自分でできるフォトリアリスティックなトーキングヘッド作成システムの代替の実施形態のブロック図である。
【図３６】本発明に従って構成された、自分でできるフォトリアリスティックなトーキングヘッド作成システムの代替の実施形態のブロック図である。
【図３７】ショーのコンテンツ作成及びアップロード方法の概略図である。
【図３８】フォトリアリスティックなトーキングヘッドのアプリケーションとともに使用可能な選択装置プラットフォームの概略図である。
【図３９】送信側個人のブランド設定の処理の概略図である。
【図４０】ショーのコンテンツ作成方法の概略図である。
【図４１】チャット、ブログ又はマルチメディアのアプリケーション用のフォトリアリスティックなトーキングヘッドのコンテンツを作成する処理の概略図である。
【図４２】電話又はヴォイスメールのアプリケーション用のフォトリアリスティックなトーキングヘッドのコンテンツを作成する処理の概略図である。
【図４３】フォトリアリスティックなトーキングヘッドの電話のアプリケーションの概略図である。
【図４４】フォトリアリスティックなトーキングヘッドのヴォイスメールでの使用の概略図である。
【図４５】口合わせデータを埋め込む処理の概略図である。
【図４６】ユーザのパラメータ及びプリファランスと受信側のパラメータ及びプリファランスとに関連付けられた言葉を適合させることによってブランディングを挿入する処理の概略図である。
【図４７】分散ウェブアプリケーションネットワークの概略図である。
【図４８】別の分散ウェブアプリケーションネットワークの概略図である。
【図４９】埋込口合わせシステム及び方法の概略図である。
【図５０】フォトリアリスティックなトーキングヘッドの電話の概略図である。
【図５１】携帯情報装置に関する埋込口合わせシステム及び方法の概略図である。
【図５２】音声駆動個人ブランド設置システムの概略図である。
【図５３】フォトリアリスティックなトーキングヘッドのヴォイスメールの概略図である。
【図５４】装置プラットフォーム及びリモートサーバシステム（フォトリアリスティックなトーキングヘッドのウェブアプリケーションとも呼ばれる）を示す図である。
【図５５】ショーセグメントエディタアプリケーションの概略図である。
【図５６】ショーコンパイルエディタアプリケーションの概略図である。
【図５７】ローカルアセットライブラリのディレクトリ構造の概略図である。
【図５８】暗号化アセットライブラリのディレクトリ構造の概略図である。
【図５９】ローカルアセットライブラリのグラフィックスアセット部のディレクトリ構造の概略図である。
【図６０】ローカルアセットライブラリの音声ライブラリ部のディレクトリ構造の概略図である。
【図６１】音声解析及び口合わせアプリケーションの概略図である。
【図６２】フォトリアリスティックなトーキングヘッドのコンテンツ制作システムとも呼ばれる、ローカルコンピュータ（フルバージョン）システムの概略図である。
【図６３】音声解析及び口合わせアプリケーションのグラフィカルユーザインタフェースの概略図である。
【図６４】制作セグメントエディタアプリケーションのグラフィカルユーザインタフェースの概略図である。
【図６５】ショーコンパイルエディタアプリケーションのグラフィカルユーザインタフェースの概略図である。
【図６６】チャットアプリケーションのグラフィカルユーザインタフェースの概略図である。
【図６７】ブログアプリケーションのグラフィカルユーザインタフェースの概略図である。
【図６８】ヴォイスメールアプリケーションのグラフィカルユーザインタフェースの概略図である。
【図６９】別のヴォイスメールアプリケーションのグラフィカルユーザインタフェースの概略図である。
【図７０】マルチメディア及び／又はテレビ／ブロードキャストアプリケーションのグラフィカルユーザインタフェースの概略図である。
【図７１】ユーザ装置用のマルチメディアヘルプアプリケーションのグラフィカルユーザインタフェースの概略図である。
【図７２】パーソナルバンキング用のマルチメディアパーソナルファイナンスセンタのグラフィカルユーザインタフェースの概略図である。
【図７３】パーソナルファイナンスセンタ内に仮想ＡＴＭを有する、パーソナルファイナンスセンタのマルチメディアサブカテゴリのグラフィカルユーザインタフェースの概略図である。
【図７４】マルチメディアメッセージセンタのグラフィカルユーザインタフェースの概略図である。
【図７５】マルチメディアゲームのスタートメニューのグラフィカルユーザインタフェースの概略図である
【図７６】プレイモードのマルチメディアゲームのグラフィカルユーザインタフェースの概略図である。
【図７７】マルチメディアトリビアゲームのグラフィカルユーザインタフェースの概略図である。
【図７８】マルチメディアの評論家レビューのグラフィカルユーザインタフェースの概略図である。
【図７９】マルチメディアのパーソナルナビゲーターのグラフィカルユーザインタフェースの概略図である。
【図８０】マルチメディアのパーソナルナビゲーターのガソリンスタンド位置のサブカテゴリのグラフィカルユーザインタフェースの概略図である。
【図８１】別のマルチメディアの評論家レビューのグラフィカルユーザインタフェースの概略図である。
【図８２】マルチメディアの評論家レビューの映画レビューのサブカテゴリのグラフィカルユーザインタフェースの概略図である。
【発明を実施するための形態】
【００４７】
本発明の好ましい実施形態は、図面の図１〜図８２を参照して説明される。それぞれの図における同一の要素は、同じ参照番号で特定される。
【００４８】
Ｉ．概要
図１は、本発明に従うフォトリアリスティックなトーキングヘッドに基づくマルチメディアコンテンツをネットワーク１０を介して作成、流通、及び閲覧する方法のステップの概略図である。
【００４９】
フォトリアリスティックなトーキングヘッドに基づくマルチメディアコンテンツをネットワーク１０を介して作成、流通、及び閲覧する方法は、ステップ１００でフォトリアリスティックなトーキングヘッドに基づくマルチメディアコンテンツをネットワーク１０を介して作成、流通、及び閲覧する方法を開始し、ステップ２００でフォトリアリスティックなトーキングヘッドのライブラリを作成して、本発明のフォトリアリスティックなトーキングヘッドシステムにフォトリアリスティックなトーキングヘッドのライブラリを保存し、ステップ３００でコンテンツを作成してそのコンテンツをフォトリアリスティックなトーキングヘッドシステムにアップロードし、ステップ３５０でブランディングのためのプロファイルを作成し、ステップ７５０でコンテンツ及びプロファイルをフォトリアリスティックなトーキングヘッドシステムに保存し、ステップ７６０でフォトリアリスティックなトーキングヘッドシステムに対してコンテンツを受信側に送信するように要求するリクエストを受信し、ステップ８００でフォトリアリスティックなトーキングヘッドシステムによるブランディングを挿入してコンテンツを受信側に送信し、ステップ１０００でフォトリアリスティックなトーキングヘッドに基づくマルチメディアコンテンツをネットワーク１０を介して作成、流通、及び閲覧する方法を終了することを含む。
【００５０】
ＩＩ．フォトリアリスティックなトーキングヘッドのライブラリの作成
フォトリアリスティックなトーキングヘッドのライブラリ１２は、フォトリアリスティックなトーキングヘッド１０を作成、流通、及び閲覧する方法のステップ２００で作成される。
【００５１】
フォトリアリスティックなトーキングヘッドのライブラリ１２及びフォトリアリスティックなトーキングヘッドのライブラリ１２を作成する方法を図２〜図３６に示す。図１９〜図３６は、フォトリアリスティックなトーキングヘッドを作成する別の実施形態を示す。
【００５２】
フォトリアリスティックなトーキングヘッドは、ビデオカメラ及びディスプレイ付きの、携帯電話、携帯端末などの様々なポータブル無線機器で使用可能である。ビデオカメラ及びディスプレイを対象者が使用して、フォトリアリスティックなトーキングヘッドのライブラリ１２を作成中に自分自身をマーカー及び／又はガイドに合わせて配置して、フォトリアリスティックなトーキングヘッドを表示させる。
【００５３】
図２は、様々な角度位置４４での対象者２６の選択された画像４２と、それぞれの角度位置４４での様々な目の特徴４６及び様々な口の特徴４８とから構成されるフォトリアリスティックなトーキングヘッドのライブラリ１２を示す。
【００５４】
図３はガイド２０を示す。ガイド２０は、図５に示す合成出力画像３８をもたらす、図４に示す対象者２６を配置するための配置テンプレートとして使用される。
【００５５】
図６Ａ〜図６Ｃは、対象者２６とガイド２０との位置合わせの様々な段階での合成出力画像３８を示す。図６Ａは、ガイド２０から水平方向にずらした対象者２６を示す。図６Ｂは、ガイド２０から垂直方向にずらした対象者２６を示す。図６Ｃは、近接して配置された対象者２６及びガイド２０を示す。図５は、ガイド２０に配置を合わせた対象者２６を示す。
【００５６】
フォトリアリスティックなトーキングヘッドのライブラリ１２は、それぞれ、図１０と１１の座標系及び任意の命名規則に従って、様々な角度位置４４での選択された画像４２、及び図２に示された角度位置４４のそれぞれでの様々な目の特徴４６と様々な口の特徴４８の画像から構成される。図７は、図２の特定の角度位置での選択された画像４２の１つの拡大図、及び選択された画像４２の特定の角度位置での様々な目の特徴４６の図及び様々な口の特徴４８の図を示す。図８は、図７の特定の角度位置での選択された画像４２の一般的な画像と、図７の特定の角度位置での目を閉じ及び目を大きく開いた対象者２６によって取得された様々な目の特徴４６の一般的な画像と、図７の特定の角度位置での選択された音を話している対象者２６によって取得された様々な口の特徴４８の一般的な画像を示す。対象者２６が、特定の角度位置で自分自身をガイド２０に合わせると、対象者２６は目を開閉し、選択された音素を含む一連の文を話す。また、対象者２６は任意に、笑い顔及び／又はしかめ面等、追加の顔のジェスチャーを実施することもできる。図９は、図７の特定の角度位置での目を閉じたり、大きく開いたりした対象者２６によって取得された様々な目の特徴の画像４６、及び図７の特定の角度位置での様々な口の特徴４８の一般的な画像をそれぞれ取得するための、対象者２６の一般的な目の領域５０及び一般的な口の領域５２を示す。
【００５７】
図１０は、対象者２６、ガイド２０、選択された画像４２、並びにフォトリアリスティックなトーキングヘッドのライブラリ１２の選択された画像４２に関連付けられた様々な目の特徴４６及び様々な口の特徴４８の様々な角度位置４４に対しての、傾き５６、回転５８及びうなずき６０のベクトルを有する座標系５４を示す。傾き５６、回転５８及びうなずき６０のベクトルはそれぞれ、中心６２からの方向及び角度位置を指定し、図１０に一般的な角度や方向が示されるが、その他の適当な角度や方向を使用することができる。回転５８ベクトルは、その角度要素として方位角位置（左右）を使用し、うなずき６０ベクトルは、その角度要素として高度角度位置（上下）を使用する。傾き５６ベクトルは、うなずき６０ベクトルのいずれかの側において角度方向が左上又は右上に向いている。
【００５８】
図１１は、対象者２６、ガイド２０、選択された画像４２、並びにフォトリアリスティックなトーキングヘッドのライブラリ１２の選択された画像４２に関連付けられた様々な目の特徴４６及び様々な口の特徴４８の傾き５６、回転５８及びうなずき６０ベクトルに関連付けられた任意の命名規則６４を示す。他の適当な任意の命名規則、又は実際のベクトル方向及び角度を使用することもできる。任意の命名規則６４は、それぞれの指定方向と角度に対して、マイナス方向からプラス方向へ、傾き５６ベクトルが０１から単調に上昇増加する連続番号スキームを使用する。したがって、傾き５６の一般的な角度である−２．５°、０°及び＋２．５°に対しては、任意の命名規則６４は、それぞれ、−２．５°、０°、及び＋２．５°の一般的な角度を指定するために０１、０２及び０３を使用する。任意の命名規則６４は、それぞれの指定方向と角度に対して、マイナス方向からプラス方向へ、回転５８及びうなずき６０ベクトルが００から単調に上昇増加する連続番号スキームを使用する。したがって、回転５８とうなずき６０の一般的な角度の−１０°、−５°、０°、＋５°及び＋１０°に対しては、任意の命名規則６４は、それぞれ、−１０°、−５°、０°、＋５°、及び＋１０°を指定するために００、０１、０２及び０３を使用する。傾き５６の−２．５°、０°、及び＋２．５°の一般的な角度以外の適当な角度、及び／又は回転５８及びうなずき６０の−１０°、−５°、０°、＋５°及び＋１０°の一般的な角度以外の適当な角度を使用することができる。しかしながら、他の方向及びマイナスの角度から０°を通りプラスの角度までの角度に対して、傾き５６に対しては０１、回転５８及びうなずき６０に対しては００から開始する単調に増加する連続番号スキームをやはり使用することができる。名前６６は、任意のラベル又は識別子として、頭部、口及び目を使用する。選択された画像４２、対象者２６又はガイド２０に対しては頭部を、目の特徴４６に対しては目を、口の特徴４８に対しては口を使用する。したがって、例えば頭部０２０３０１は、図１０に示された一般的角度に対して、傾き５６、回転５８及びうなずき６０をそれぞれ０°、＋５°、−５°として有する選択された画像４２を表す。
【００５９】
図１２は、図１０の座標系５４及び図１１の任意の命名規則６４に従って示される、様々な角度位置７０でのガイド２０を有するガイドライブラリ６８を示す。図１２のガイド２０のそれぞれは、ガイドライブラリ６８の中のガイド２０それぞれの角度位置７０に対応する角度位置４４での選択された画像４２を作成し、ガイドライブラリ６８の中のガイド２０それぞれの角度位置７０に対応する角度位置４４で様々な目の特徴４６及び様々な口の特徴４８を作成するために使用される。したがって、対象者２６は、選択された画像４２のそれぞれを作成するために、自分自身を角度位置７０の中の異なる位置でのそれぞれの合成出力画像３８内のガイド２０に合わせて配置し、配置を合わせた選択された画像４２のそれぞれの特定の角度位置で様々な目の特徴４６のそれぞれを作成するために、目を開いたり閉じたりし、角度位置７０のそれぞれに対応して配置を合わせた選択された画像４２のそれぞれの特定の角度位置で様々な口の特徴４８のそれぞれを作成するために、繰り返して口を動かすことによって、図２のフォトリアリスティックなトーキングヘッドのライブラリ１２が作成される。
【００６０】
図１３Ａ〜図１３Ｃは、ガイド２０の作成における一般的な段階を模式的に表す。しかし、ガイド２０を作成するために、その他の適当な技術を使用することができることに注意すべきである。ガイド２０のそれぞれは、一般的に、中程度の解像度でモデル化された頭部で、異なる角度位置での望ましいトーキングヘッド、好ましいニュースキャスター又は汎用のトーキングヘッド若しくはニュースキャスターである。一般的なガイド２０は図１３Ｃに示されているが、ガイド２０のそれぞれは、様々な角度位置の中の選択された位置に対象者２６の配置を合わせるためのテンプレートとして使用される。ガイド２０のそれぞれは、レーザースキャン、芸術的なモデリング、又はその他の適当な技術等の適当な技術を使用して作成することができ、一般的にはガイド２０は、約５０００ポリゴンを有する３Ｄモデル頭部である。ガイド２０を作成するには、３Ｄモデリングソフトウェア又はその他の適当なソフトウェア等のモデリングソフトウェアを使用することができる。ガイドを作成するために販売されている一般的な市販の３Ｄモデリングソフトウェアパッケージは、３Ｄ  Ｓｔｕｄｉｏ  Ｍａｘ、Ｌｉｇｈｔｗａｖｅ、Ｍａｙａ及びＳｏｆｔＩｍａｇｅがあるが、その他の適当なモデリングソフトウェアを使用することができる。まず、図１３Ａに示されているように、基礎のワイヤメッシュモデル７２が作成される。フォンシェーディングは、一般的にワイヤメッシュモデル７２に追加されて、図１３Ｂに示されているように、立体的な外観を有するシェードモデル７４を作成する。次に、立体的な外観を有するシェードモデル７４は、一般的に、望ましいトーキングヘッド、好ましいニュースキャスター、又は汎用のトーキングヘッド若しくはニュースキャスターの写真とフォトマッピングされて、図１３Ｃのガイド２０が作成される。これは、望ましいトーキングヘッド、好ましいニュースキャスター、又は汎用のトーキングヘッド若しくはニュースキャスターに類似する。ガイド２０は、フォトリアリスティックなトーキングヘッドのライブラリ１２の選択された画像４２の望ましいトーキングヘッドのライブラリのポーズに対応する、左右、上下及び横回転の配列によって、特定の頭部のポーズで描画される。これにより、様々な角度位置でのガイド２０の画像を有するガイドライブラリ６８が得られて、ガイド２０の画像のそれぞれは、様々な角度位置のそれぞれで、配置テンプレートとして使用される。ガイド２０のそれぞれは、一般的にビットマップ画像として保存され、一般的に５１２ｘ３８４ピクセル以下で、一般的に透明な背景色を有し、一般的に図１０の座標系５４及び図１１の任意の命名規則６４に従って一般的に可視インデックスでインデックスされるが、その他の適当なインデックスや記憶装置を使用することができる。
【００６１】
対象者２６は、図５、６Ａ、６Ｂ及び６Ｃの様々な配置段階で示されているように、モニタ３９で自分自身の画像とガイド２０の画像の重なりを確認して、自分自身の画像をガイド２０の画像に合わせて配置する。
【００６２】
再度説明するが、ガイド２０は、左右、上下及び横回転の配列によって、フォトリアリスティックなトーキングヘッドのライブラリ１２の選択された画像４２の望ましいトーキングヘッドのライブラリのポーズに対応する特定の頭部のポーズで描画され、様々な角度位置でのガイド２０を有するガイドライブラリ６８が得られて、それぞれは様々な角度位置のそれぞれで、配置テンプレートとして使用される。
【００６３】
フォトリアリスティックなトーキングヘッドのライブラリ１２は、通常のコンピュータ操作技術を有する個人によって、迅速、容易、かつ効果的に作成することができ、また様々な角度位置にある実際の人間の画像との混合及び配置合わせのためのテンプレートとして使用することができるガイド２０を使用して、作成時間を最小限にすることができる。
【００６４】
様々なガイドライブラリ６８からなるライブラリ７５が提供され、ガイドライブラリ６８のそれぞれは、その中に様々なガイド２０を有し、ガイド２０のそれぞれは異なる角度位置を有する。ガイドライブラリ６８のそれぞれは、互いに異なる顔の特徴を有し、それによってユーザは、ライブラリ７５からユーザの顔の特徴及び特性に近い顔の特徴及び特性を有するガイドライブラリ６８を選択することができる。
【００６５】
図１４Ａ〜図１４Ｆは、様々な顔の特徴を有する一般的なガイド２０を示す。配置を補助するために種々の主要な顔の特徴や肩の特徴が使用されて、対象者２６のガイド２０との正しい位置合わせが達成される。対象者２６は、ライブラリ７５から図１５に示された様々なガイドライブラリ６８を選択することができ、自分自身の顔の特徴に最も一致するものを選択することができる。
【００６６】
瞳孔７７の間の距離７６、鼻７９の長さ７８、口８１の幅８０、髪８３のスタイル８２、頭部８５の上とあご８６との間の距離８４、肩８８の形８７、及び任意の眼鏡８９は、自分自身とガイド２０の位置合わせを支援するために対象者２６に目安を提供する一般的な配置特徴である。ガイド２０のサイズ、外観、比率、顔の特徴及び肩の特徴が、対象者２６に近くなるほど配置が良好になり、その結果としてフォトリアリスティックなトーキングヘッドのライブラリ１２が得られる。
【００６７】
図１６は、フォトリアリスティックなトーキングヘッドを作成する方法のステップ９０を示す。それぞれのステップは、ビデオカメラ又はその他の機器で対象者の画像を収集するステップ９１と、対象者の収集画像をガイド又はテンプレートの画像と混合して、対象者とガイド又はテンプレートの合成画像を作成するステップ９２と、対象者に表示するために、合成画像を、対象者の画像をガイド又はテンプレートの画像に合わせて配置することを補助するようにされたモニタ又はテレビに送信するステップ９３と、対象者の画像をガイド又はテンプレートの画像に合わせて配置するステップ９４と、配置を合わせた対象者の画像を保存するステップ９５とを少なくとも備える。対象者の収集画像をガイド又はテンプレートの画像に混合して、対象者とガイド又はテンプレートとの合成画像を作成するステップ９２は、ミキサプログラムを有するコンピュータで実施されることが好ましい。ミキサプログラムは、収集画像とテンプレートの画像とから合成画像を作成するようにされているが、他の適当な技術を用いることもできる。フォトリアリスティックなトーキングヘッド９０を作成する方法は、図１７に示されるように、顔の特徴を捉えるステップ９６を含む追加の任意ステップを有することができ、ステップ９６は、口の形を捉えるステップ９７と、目の形を捉えるステップ９８と、任意により、その他の顔の特徴を捉えるステップ９９とを含む。
【００６８】
図１８Ａ、１８Ｂ、及び１８Ｃは、図３のガイド又は配置テンプレートを使用した配置の代わりに、マーカー１０４、１０６、１０８、１１０、及び１１２を使用して対象者１０２を配置する代替の方法を示す。
【００６９】
マーカー１０４、１０６、１０８、１１０、及び１１２は、目、鼻の先端、及び口角などの顔の重要な特徴を配置するために使用されるが、他の適した顔の特徴を使用してもよい。マーカー１０４、１０６、１０８、１１０、及び１１２は、図３のガイド２０の代わりに通常使用されるが、任意でガイド２０と組み合わせて使用してもよい。
【００７０】
図１８Ａは、傾き、回転、及びうなずきの角度がそれぞれ２°、２°、及び２°でのマーカー１０４、１０６、１０８、１１０、及び１１２に合わせて配置された対象者１０２を示す。
【００７１】
図１８Ｂは、傾き、回転、及びうなずきの角度がそれぞれ２°、２°、及び２°でのマーカー１０４、１０６、１０８、１１０、及び１１２に合わせて配置されていない対象者１０２を示す。
【００７２】
図１８Ｃは、図１８Ａのそれぞれ２°、２°、及び２°の傾き、回転、及びうなずき角度から角度が変えられた図１８Ａの対象者の図であり、位置を合わせて配置された対象者を示す。
【００７３】
図１９〜図３０は、ポータブル機器及びポータブル無線機器を使用する、自分でできるフォトリアリスティックなトーキングヘッド作成システムの別の実施形態を示す。これらのポータブル機器及びポータブル無線機器は、デジタル通信端末、携帯情報端末、携帯電話、ノートブック型コンピュータ、ビデオ電話、及びその他の適当な機器を含む。これらのポータブル機器及びポータブル無線機器は、ビデオカメラ及びビデオディスプレイを有する、特にビデオカメラ及びビデオディスプレイを内蔵するデジタル通信端末を含む。
【００７４】
対象者は、例えば、そのような機器のビデオカメラで自分自身を捉え、端末のビデオディスプレイで捉えられた画像のライブビデオを見ることができる。
【００７５】
対象者のマーカー及び／又はガイド画像は、図１９〜図３６の自分でできるフォトリアリスティックなトーキングヘッド作成システムのポータブル機器及び／又はポータブル無線機器の画面上で重ね合わされる。
【００７６】
このような機器のディスプレイそれぞれは、前述のように、対象者の収集画像と、マーカー及び／又はガイドを含む選択された配置テンプレートとの合成画像を表示し、ディスプレイ及びビデオカメラは、ビデオカメラが対象者の画像を収集して、対象者に合成画像を表示して、対象者が対象者の頭部の画像を、特定の配置テンプレートの頭部の角度位置と実質的に同じ角度位置で、配置テンプレートの頭部に合わせて配置できるようにされている。
【００７７】
このようなポータブル機器及び／又はポータブル無線機器は、例えば、有線又は無線接続を介してサーバと通信でき、並びに／又はリアルタイムビデオストリーミング及び／若しくは適当な信号の送信をサポートする十分な帯域幅のネットワークを介してリモートサーバと通信することができる。代表的なネットワークとしては、セルラーネットワークや、インターネット、グローバルネットワーク、広域ネットワーク、都市規模ネットワーク又はローカルエリアネットワーク、ＷｉＦｉネットワーク、ＷｉＭａｘネットワーク、ボイス・オーバー・アイピー（ＶＯＩＰ）等の分散ネットワーク、及びその他の適当なネットワークが含まれる。
【００７８】
２人以上のユーザは、いかなる時であってもリモートサーバに接続することができる。捉えられたビデオストリーム及び／又は静止画面は、処理してフォトリアリスティックなトーキングヘッドのライブラリを作成するためにサーバに送信されることができる。又は任意で、処理は端末自体で実行することができる。
【００７９】
ソフトウェアアプリケーション及び／又はハードウェアを、このような端末内に備えることができる。コンピュータ及び／又はリモートサーバは、対象者の収集画像と配置テンプレートとの合成信号を分析して、マーカー及び／又はガイド画像に対する配置の正確性を決定する。
【００８０】
音声プロンプトは、合成によって生成された音声、実際に記録された人間の音声、又は生の人間の技術者によって作成されることができ、配置プロセス中にユーザを支援するために、リアルタイムで対象者と通信することができる。代わりに、及び／又は追加で、ビデオプロンプトを使用することができる。そこで、対象者は、プロンプトの情報に従って自分の頭部の位置を調整することができ、適切に配置すると、キャプチャープロセスの会話部分を開始することができる。音声及び／又はビデオプロンプトは、シーケンスを繰り返す場合、キャプチャー及び／又は配置プロセス中に正しい配置が失われる場合、及び／又はセッションを開始及び／又は停止する場合等、その他の作業でも対象者を支援するために使用することができる。
【００８１】
ポータブル機器及び／又は無線携帯端末は、ビデオカメラ及びディスプレイ又はその他の適当なカメラ及びディスプレイを有する、携帯電話（ｃｅｌｌ  ｐｈｏｎｅ）、携帯情報端末（ＰＤＡ）、ウェブ対応電話、携帯電話（ｐｏｒｔａｂｌｅ  ｐｈｏｎｅ）、パーソナルコンピュータ、ノート型コンピュータ、タブレットコンピュータ、ビデオ電話、テレビ、携帯用テレビ、無線デジタルカメラ、無線ビデオカメラ、電子メール端末、インスタントメッセージ端末、ＰＣ電話、ビデオ会議端末、移動電話（ｍｏｂｉｌｅ  ｐｈｏｎｅ）、携帯端末、無線端末、無線携帯端末、及び他の適当な機器である。
【００８２】
図１９及び図２０はそれぞれ、自分でできるフォトリアリスティックなトーキングヘッド作成システム１２０及び自分でできるフォトリアリスティックなトーキングヘッド作成システム１３０を示す。自分でできるフォトリアリスティックなトーキングヘッド作成システム１２０及び自分でできるフォトリアリスティックなトーキングヘッド作成システム１３０は、それぞれ携帯電話１３２を有し、それぞれの携帯電話１３２はビデオカメラ１３４及びディスプレイ１３６を有する。
【００８３】
図１９の自分でできるフォトリアリスティックなトーキングヘッド作成システム１２０は、通常はリモートサーバであるサーバ１４２を有する。サーバ１４２は、ソフトウェアミキサ１４４、記憶装置１４６、及びマーカー１５０を有する。マーカー１５０は、マーカー１０４、１０６、１０８、１１０、及び１１２と実質的に同じであるが、他の適したマーカーを使用してもよい。
【００８４】
図２０の自分でできるフォトリアリスティックなトーキングヘッド作成システム１３０は、通常はリモートサーバであるサーバ１５２を代わりに有し、サーバ１５２はソフトウェアミキサ１５４、記憶装置１５６、及びガイド１５８を有する。
【００８５】
なお、マーカー１５０は通常、ガイド１５８よりも好まれる。これは、マーカー１０４、１０６、１０８、１１０、及び１１２又は他の適したマーカーが、ガイド１５８又はガイド２０よりも、携帯電話、他の小型の無線機器、又は携帯端末などの小型の機器上で見やすく、対象者を識別し易く、そして配置し易いためである。
【００８６】
ガイド１５８は、ガイド２０と実質的に同じである。図５に示す合成出力画像３８を使用して、対象者を配置するために配置テンプレートとしてガイド１５８又はガイド２０を使用することは、携帯電話、他の小型の無線機器、又は携帯端末などの小型の機器では難しいが、大きいディスプレイ又はモニタを有するコンピュータや合成画像の特徴を十分に識別できるほど大きなディスプレイを有するノート型コンピュータなどの大型の機器では、許容可能である。マーカー１０４、１０６、１０８、１１０、及び１１２、又はその他の適したマーカーの使用で、ガイド２０を使用した場合に比べて配置処理時の目の疲れを軽減することが期待される。
【００８７】
対象者１６０の画像は、図１９の自分でできるフォトリアリスティックなトーキングヘッド作成システム１２０の携帯電話１３２のビデオカメラ１３４で収集される。サーバ１４２のソフトウェアミキサ１４４は、ディスプレイ１３６上に表示される対象者１６０の収集画像とマーカー１５０との合成画像を作成する。対象者１６０は、目、鼻の先端、及び口角など、自分の顔の重要な特徴をマーカー１５０に合わせて配置する。その後、記憶装置１４６を使用して、選択画像を保存してもよい。
【００８８】
あるいは、対象者１６０の画像を、図２０の自分でできるフォトリアリスティックなトーキングヘッド作成システム１３０の携帯電話１３２のビデオカメラ１３４で収集してもよい。サーバ１５２のソフトウェアミキサ１５４は、対象者１６０によって互いに位置を合わせて配置され得る、ディスプレイ１３６上に表示される対象者１６０の収集画像とガイド１５８との合成画像を作成する。その後、記憶装置１５６を使用して、選択画像を保存してもよい。
【００８９】
ビデオカメラ１３４は、デジタル静止カメラに匹敵する画質及び解像度を有したデジタルビデオフレーム静止画を作成できる高解像度デジタルビデオカメラであることが好ましい。ただし、他のカメラ及び／又は電子画像収集装置を使用してもよい。
【００９０】
記憶装置１４６又は１５６は、光学記憶メディア及び／又は磁気記憶メディアとすることができるが、その他の適した記憶装置を使用してもよい。
【００９１】
マーカー１５０、ガイド１５８、及びソフトウェアミキサ１４は、サーバ１４２又はサーバ１５２にロード及び／又は保存可能なコンピュータプログラムでもよい。ただし、他の適したマーカー、ガイド、及び／又はミキサを使用してもよい。
【００９２】
図１９の自分でできるフォトリアリスティックなトーキングヘッド作成システム１２０は、次のとおりである。
フォトリアリスティックな人間のトーキングヘッドを作成するための装置であって、
携帯端末と、ネットワークと、サーバと、配置テンプレートのライブラリと、制御装置と、ビデオカメラと、ディスプレイと、様々な対象者の頭部の角度位置で対象者の頭部を含む対象者の収集画像のライブラリを保存する保存手段とを備え、
携帯端末とサーバとは、ネットワークを介して互いに通信し、
サーバは、配置テンプレートのライブラリを備え、
配置テンプレートは、それぞれ互いに異なるとともに、頭部の傾き、頭部のうなずき及び頭部の回転要素を含む特定の頭部の角度位置について、対象者の顔の特徴に関連付けられた複数のマーカーを含み、
配置テンプレートの頭部の角度位置は、それぞれ互いに異なり、
サーバは、制御装置を備え、
制御装置は、特定の配置テンプレートの頭部の角度位置に対応して、配置テンプレートのライブラリから配置テンプレートを選択し、配置テンプレートを表現する画像の出力信号を有し、
携帯端末はビデオカメラを備え、
ビデオカメラは、対象者の頭部の傾き、対象者の頭部のうなずき及び対象者の頭部の回転要素を備えた頭部の角度位置を有する対象者の画像を収集し、
ビデオカメラは、対象者の収集画像を表現する出力信号を有し、
携帯端末は、対象者の収集画像を表現するビデオカメラの出力信号を、ネットワークを介してサーバに送信し、
サーバは、対象者の収集画像を表現するビデオカメラの出力信号を受信する入力を有し、
サーバはミキサを有し、
サーバは、選択された配置テンプレートの画像の出力信号を制御装置から受信し、選択された配置テンプレートの画像の出力信号と、受信した対象者の収集画像の出力信号とをミキサに送信し、
ミキサは、選択された配置テンプレートの画像の出力信号と、送信された対象者の収集画像の出力信号とを受信し、一方を他方と混合して対象者の収集画像と選択された配置テンプレートとの合成画像を表現する出力信号にし、対象者の収集画像と選択された配置テンプレートとの合成画像の出力信号をサーバに送信し、
サーバは、ミキサから受信した対象者の収集画像と選択された配置テンプレートとの合成画像を表現する出力信号を有し、
サーバは、対象者の収集画像と選択された配置テンプレートとの合成画像を表現する出力信号を、ネットワーク経由で携帯端末に送信し、
携帯端末はディスプレイを有し、
ディスプレイは、対象者の収集画像と選択された配置テンプレートとの合成画像を表現する出力信号を受信する入力を有し、
ディスプレイ及びビデオカメラは、ビデオカメラで対象者の画像を収集して、対象者が合成画像を見えるようにして、対象者が、対象者の頭部の画像を、配置テンプレートのマーカーに合わせて配置できるようにされており、
サーバは、保存手段を備え、
サーバは、受信した対象者の収集画像の信号を保存手段に送信し、
保存手段は、対象者の収集画像の信号を受信して、対象者の保存画像として保存し、対象者が配置テンプレートのマーカーと実質的に合わせて配置された対象者の頭部を有する場合、対象者の保存画像は、特定の配置テンプレートの頭部の角度位置と実質的に同じ対象者の頭部の角度位置を有し、
保存された収集画像のライブラリの画像は、それぞれ互いに異なり、
保存された画像の対象者の頭部の角度位置は、それぞれ互いに異なり、
保存された収集画像のライブラリの画像の対象者の頭部の角度位置のそれぞれは、配置テンプレートのライブラリの選択された配置テンプレートと対応し、実質的に同じであって、かつ合わせて配置され、
保存された収集画像のそれぞれは、フォトリアリスティックな人間のトーキングヘッドの異なるフレームを表現する、
フォトリアリスティックな人間のトーキングヘッドを作成するための装置である。
【００９３】
図２０の自分でできるフォトリアリスティックなトーキングヘッド作成システム１３０は、次のとおりである。
フォトリアリスティックな人間のトーキングヘッドを作成するための装置であって、
携帯端末と、ネットワークと、サーバと、配置テンプレートのライブラリと、制御装置と、ビデオカメラと、ディスプレイと、様々な対象者の頭部の角度位置で対象者の頭部を含む対象者の収集画像のライブラリを保存する保存手段とを備え、
携帯端末とサーバとは、ネットワークを介して互いに通信し、
サーバは、配置テンプレートのライブラリを備え、
配置テンプレートは、それぞれ互いに異なるとともに、配置テンプレートの頭部の傾き、配置テンプレートの頭部のうなずき及び配置テンプレートの頭部の回転要素を備える配置テンプレートの頭部の角度位置を有するフォトリアリスティックな人間のトーキングヘッドの配置テンプレートのフレームを表し、
配置テンプレートのフレームは、それぞれ互いに異なり、
配置テンプレートの頭部の角度位置は、それぞれ互いに異なり、
サーバは、制御装置を備え、
制御装置は、特定の配置テンプレートの頭部の角度位置に対応して、配置テンプレートのライブラリから配置テンプレートを選択し、配置テンプレートを表現する画像の出力信号を有し、
携帯端末はビデオカメラを備え、
ビデオカメラは、対象者の頭部の傾き、対象者の頭部のうなずき及び対象者の頭部の回転要素を備えた頭部の角度位置を有する対象者の画像を収集し、
ビデオカメラは、対象者の収集画像を表現する出力信号を有し、
携帯端末は、対象者の収集画像を表現するビデオカメラの出力信号を、ネットワークを介してサーバに送信し、
サーバは、対象者の収集画像を表現するビデオカメラの出力信号を受信する入力を有し、
サーバはミキサを有し、
サーバは、選択された配置テンプレートの画像の出力信号を制御装置から受信し、選択された配置テンプレートの画像の出力信号と、受信した対象者の収集画像の出力信号とをミキサに送信し、
ミキサは、選択された配置テンプレートの画像の出力信号と、送信された対象者の収集画像の出力信号とを受信し、一方を他方と混合して対象者の収集画像と選択された配置テンプレートとの合成画像を表現する出力信号にし、対象者の収集画像と選択された配置テンプレートとの合成画像の出力信号をサーバに送信し、
サーバは、ミキサから受信した対象者の収集画像と選択された配置テンプレートとの合成画像を表現する出力信号を有し、
サーバは、対象者の収集画像と選択された配置テンプレートとの合成画像を表現する出力信号を、ネットワーク経由で携帯端末に送信し、
携帯端末はディスプレイを有し、
ディスプレイは、対象者の収集画像と選択された配置テンプレートとの合成画像を表現する出力信号を受信する入力を有し、
ディスプレイ及びビデオカメラは、ビデオカメラで対象者の画像を収集して、対象者が合成画像を見えるようにして、対象者が、対象者の頭部の画像を、特定の配置テンプレートの頭部の角度位置と実質的に同じ角度位置で、配置テンプレートの頭部に合わせて配置できるようにされており、
サーバは、保存手段を備え、
サーバは、受信した対象者の収集画像の信号を保存手段に送信し、
保存手段は、対象者の収集画像の信号を受信して、対象者の保存画像として保存し、対象者が配置テンプレートの頭部と実質的に合わせて配置された対象者の頭部を有する場合、対象者の保存画像は、特定の配置テンプレートの頭部の角度位置と実質的に同じ対象者の頭部の角度位置を有し、
保存された収集画像のライブラリの画像は、それぞれ互いに異なり、
保存された画像の対象者の頭部の角度位置は、それぞれ互いに異なり、
保存された収集画像のライブラリの画像の対象者の頭部の角度位置のそれぞれは、配置テンプレートのライブラリの選択された配置テンプレートの頭部の角度位置と対応し、実質的に同じであって、かつ合わせて配置され、
保存された収集画像のそれぞれは、フォトリアリスティックな人間のトーキングヘッドの異なるフレームを表現する、
フォトリアリスティックな人間のトーキングヘッドを作成するための装置である。
【００９４】
図２１及び図２２はそれぞれ、自分でできるフォトリアリスティックなトーキングヘッド作成システム１２０及び１３０の携帯電話１３２を示し、それぞれサーバ１４２及び１５２と無線で通信している。通常、携帯電話１３２は、１つ以上の無線セルラーネットワーク又は他の適したネットワーク上のサーバ１４２及び１５２とアンテナ１７０を介して無線で通信している。
【００９５】
図２３及び図２４は、自分でできるフォトリアリスティックなトーキングヘッド作成システム１７２及び１７４を示すが、これらはそれぞれ、自分でできるフォトリアリスティックなトーキングヘッド作成システム１７２及び１７４のそれぞれが、セルラーネットワーク１７６を介してサーバ１４２及び１５２と通信する複数の携帯電話１３２を有することを除き、自分でできるフォトリアリスティックなトーキングヘッド作成システム１２０及び１３０と実質的に同じである。携帯電話１３２のそれぞれは、アンテナ１７０を介して、セルラーネットワーク１７６と無線で通信する。
【００９６】
図２５は、自分でできるフォトリアリスティックなトーキングヘッド作成システム１７８を示すが、これは、自分でできるフォトリアリスティックなトーキングヘッド作成システム１７８が、それぞれビデオカメラ１８２及びディスプレイ１８４を有する複数の携帯情報端末（ＰＤＡ）１８０を有することを除き、自分でできるフォトリアリスティックなトーキングヘッド作成システム１７２と実質的に同じである。
【００９７】
図２６は、自分でできるフォトリアリスティックなトーキングヘッド作成システム１８６を示すが、これは、自分でできるフォトリアリスティックなトーキングヘッド作成システム１８６が、サーバ１９０に接続したインターネット１８８に接続されることを除き、自分でできるフォトリアリスティックなトーキングヘッド作成システム１２０と実質的に同じである。サーバ１９０は、ソフトウェアミキサ１４４、マーカー１５０、及び記憶装置１４６を有する。あるいは、サーバ１９０は、代わりに及び／又は追加として、ソフトウェアミキサ１５４、ガイド１５８、及び記憶装置１５６を有してもよい。
【００９８】
図２７及び２８はそれぞれ、自分でできるフォトリアリスティックなトーキングヘッド作成システム１９２及び１９４を示すが、これらはそれぞれ、自分でできるフォトリアリスティックなトーキングヘッド作成システム１９２及び１９４が、無線セルラーネットワーク１９６及びセルラーネットワークハードウェア１９８を介してインターネット１８８に接続されることを除き、自分でできるフォトリアリスティックなトーキングヘッド作成システム１７２及び１７４と実質的に同じである。
【００９９】
図２９は、自分でできるフォトリアリスティックなトーキングヘッド作成システム２１０を示すが、これは、自分でできるフォトリアリスティックなトーキングヘッド作成システム２１０が、アンテナ１７０を介して無線セルラーネットワーク１９６に無線接続されたノート型コンピュータ２１２を有することを除いて、自分でできるフォトリアリスティックなトーキングヘッド作成システム１９２と実質的に同じである。無線セルラーネットワーク１９６及びアナログ音声通信のみ可能な旧来の電話システム（ＰＯＴＳ）２１４は、それぞれサーバ１４２に接続されたインターネット１８８に接続される。使用可能なポータブル無線機器２１６は、携帯電話、携帯情報端末（ＰＤＡ）、携帯無線端末、その他の適したポータブル無線機器、ノート型コンピュータ、パーソナルコンピュータ、及びその他のコンピュータを含むことができる。
【０１００】
図３０は自分でできるフォトリアリスティックなトーキングヘッド作成システム２１８を示すが、これは、自分でできるフォトリアリスティックなトーキングヘッド作成システム２１８が、サーバ１４２に接続されたインターネット１８８及び無線セルラーネットワーク１９６に無線で接続されることを除いて、自分でできるフォトリアリスティックなトーキングヘッド作成システム１７２と実質的に同じである。
【０１０１】
図３１は、図１９〜図３０に示す自分でできるフォトリアリスティックなトーキングヘッド作成システムの１つ以上使用して、フォトリアリスティックなトーキングヘッドを作成する方法２２０のステップを示す。この方法は、ネットワークを介して無線機器をサーバへ無線接続するステップ２２２と、配置を合わせた対象者の画像をサーバに送信するステップ２２６と、配置を合わせた対象者の画像をサーバに保存するステップ２３８と、画像を対象者又はユーザに返信するステップ２４０とを含む。
【０１０２】
詳細には、フォトリアリスティックなトーキングヘッドを作成する方法２２０は、ネットワークを介して無線機器をサーバへ無線接続するステップ２２２と、携帯電話のビデオカメラ、携帯情報端末（ＰＤＡ）のビデオカメラ、又はその他の適当な機器で対象者の画像を収集するステップ２２４と、対象者の収集画像をサーバに送信するステップ２２６と、対象者の収集画像とマーカーの画像又は代わりの画像とを混合するステップ２２８と、合成画像をポータブル無線機器、さらに詳しくはポータブル無線機器のディスプレイに送信するステップ２３０と、対象者の画像をマーカーの画像又は代わりの画像に合わせて配置するステップ２３２と、配置を合わせた対象者の画像をサーバに送信するステップと２３４と、配置を合わせた対象者の画像をサーバに保存するステップ２３８と、配置を合わせた対象者の画像を対象者に送信するステップ２４０とを備える。
【０１０３】
図３２は、フォトリアリスティックなトーキングヘッドを作成する方法２２０の追加の任意ステップ２４２を示し、配置の不一致について配置を合わせた対象者の画像を解析するステップ２４４と、より正確な配置を達成するように対象者を補助するために、音声、音声プロンプト及び／又はビデオプロンプト等のプロンプトを使用するステップ２４６とを備える。
【０１０４】
フォトリアリスティックなトーキングヘッドを作成する方法２２０は、追加の任意ステップを有することができ、ステップ２４０の後、及び／又はステップ２４６の後に顔の特徴を捉えるステップ２４８を備えるが、これは、図１７に示された追加の任意ステップと実質的に同じであり、図３３において明確化及び理解のためにここで繰り返される。
【０１０５】
フォトリアリスティックなトーキングヘッドを作成する方法２２０は、図３３に示されているように、追加の任意ステップを有することができ、口の形を捉えるステップ２５０と、目の形を捉えるステップ２５２と、任意により、その他の顔の特徴を捉えるステップ２５４とを含む、顔の特徴を捉えるステップ２４８を備える。
【０１０６】
図３４は、携帯情報端末（ＰＤＡ）又はその他の適当な機器等であるビデオ捕捉端末２５６のブロック図であり、ビデオカメラ２５８、ディスプレイ２６０、記憶装置２６２、マイク２６４及びスピーカー２６８を有し、本発明の前述の多様な実施形態で使用することができる。
【０１０７】
図３５は、本発明に従って構成された、自分でできるフォトリアリスティックなトーキングヘッド作成システム２７０の別の実施形態のブロック図であり、ビデオカメラ２７２、ディスプレイ２６０、ソフトウェアミキサ２７６、マーカー２７８、記憶装置２８０、マイク２８２及びスピーカー２８４を有する。
【０１０８】
図３５の自分でできるフォトリアリスティックなトーキングヘッド作成システム２７０は、単一のポータブル機器にまとめられた、自分でできるフォトリアリスティックなトーキングヘッド作成システムに必要なすべての機器を実質的に含む。
【０１０９】
自分でできるフォトリアリスティックなトーキングヘッド作成システム２７０は、ビデオカメラ２７２、ディスプレイ２６０、ソフトウェアミキサ２７６、マーカー２７８又は代わりの及び／又は追加のガイド、記憶装置２８０、マイク２８２、及びスピーカー２８４を有する、携帯情報端末（ＰＤＡ）又は他の適当な機器を備える。
【０１１０】
対象者の画像は、図１９〜図３０のいずれかに示される自分でできるフォトリアリスティックなトーキングヘッド作成システムについて先に説明したのと実質的に同じように、ビデオカメラ２７２によって収集できる。ソフトウェアミキサ２７６は、対象者の収集画像と、マーカー２７８又は代わりの及び／又は追加のガイドとの合成画像を作成する。合成画像は、ディスプレイ２６０に表示されて、対象者がそれを自分自身の配置を合わせるために使用することができる。そして、図１９〜図３０のいずれかに示される自分でできるフォトリアリスティックなトーキングヘッド作成システムで先に説明したのと実質的に同じように、記憶装置２８０が、選択された画像を保存するために使用される。
【０１１１】
図３６は、自分でできるフォトリアリスティックなトーキングヘッド作成システム２８６の別の実施形態を示すが、これは、自分でできるフォトリアリスティックなトーキングヘッド作成システム２８６が、マーカー２９２を個別に制御し、及び／又はマーカーライブラリ２９４を制御するために使用可能なマーカー制御ソフトウェア２９０を有することを除いて、自分でできるフォトリアリスティックなトーキングヘッド作成システム２７０と実質的に同じである。自分でできるフォトリアリスティックなトーキングヘッド作成システム２８６は、代わりに及び／又は追加として、制御ガイドを個別に制御し、及び／又はガイドライブラリを制御するために使用可能なガイド制御ソフトウェアを有してもよい。
【０１１２】
図３６の自分でできるフォトリアリスティックなトーキングヘッド作成システム２８６は、単一のポータブル機器にまとめられた、自分でできるフォトリアリスティックなトーキングヘッド作成システム全体のすべての装置を実質的に含む。
【０１１３】
ＩＩＩ．フォトトーキングヘッドのコンテンツの作成及びブランディングのフォトトーキングヘッドのコンテンツへの組み込み
図２〜２９は、フォトトーキングヘッドのコンテンツを作成するためのシステム及び方法、及びブランディングのフォトトーキングヘッドのコンテンツへの組み込みを示す。
【０１１４】
ブランドとは、製品、サービス、人物、プロファイル、特性、属性、その他のアーチファクト又はエンティティに関連及び／又は関係する、関連、記号、好み、及び／又は経験の集まりと考えることができる。
【０１１５】
ブランドは、現在の社会環境、文化及び経済の重要な部分となってきており、「個人哲学（ｐｅｒｓｏｎａｌ  ｐｈｉｌｏｓｏｐｈｉｅｓ）」及び／又は「文化的なアクセサリー（ｃｕｌｔｕｒａｌ ａｃｃｅｓｓｏｒｉｅｓ）」と呼ばれる場合もある。
【０１１６】
ブランドは、人々の心の中でつくられる象徴的な構成体で、製品、個人、エンティティ、及び／又はサービスなどに関連したすべての情報及び経験を含むことができる。
【０１１７】
ブランドは、属性、特性、描写、プロファイル、及び／又は他の関連と関連付けられることができる。他の関連は、ブランドを説明し、並びに／又はブランドに「パーソナルフィロソフィー」、好き、嫌い、好み、人口統計、関係性、並びに個人、企業及び／若しくはエンティティのその他の特性を関係付けるものである。
【０１１８】
したがって、ブランディングは、広告を、個人、企業及び／又はエンティティに送信される情報及び／又はコンテンツ、例えばフォトリアリスティックなトーキングヘッドなどのコンテンツに組み込むために使用可能である。
【０１１９】
Ａ．フォトトーキングヘッドのコンテンツの作成
本発明のフォトリアリスティックなトーキングヘッドシステムは、フォトリアリスティックなトーキングヘッドのライブラリ作成装置と、フォトリアリスティックなトーキングヘッドのライブラリ作成サーバ装置と、フォトリアリスティックなトーキングヘッドのコンテンツ作成装置と、フォトリアリスティックなトーキングヘッドのコンテンツ作成サーバ装置と、ブランド関連サーバ装置と、コンテンツ流通サーバ装置とを含む。
【０１２０】
フォトリアリスティックなトーキングヘッドのライブラリ作成装置及びフォトリアリスティックなトーキングヘッドのライブラリ作成サーバ装置は、本明細書及び／又は図面において、フォトリアリスティックなトーキングヘッドサーバと呼ぶこともあり、フォトリアリスティックなトーキングヘッドのライブラリの作成に関与する。
【０１２１】
フォトリアリスティックなトーキングヘッドのコンテンツ作成装置及びフォトリアリスティックなトーキングヘッドのコンテンツ作成サーバ装置は、本明細書及び／又は図面において制作サーバと呼ぶこともあり、フォトリアリスティックなトーキングヘッドのコンテンツの作成に関与する。
【０１２２】
コンテンツ流通サーバ装置は、本明細書及び／又は図面においてショーサーバと呼ぶこともあり、ブランド化したコンテンツの受信側への流通に関与する。
【０１２３】
図３７、３８、及び４０〜６５は、フォトリアリスティックなコンテンツの作成の様々な態様を示す。
【０１２４】
図３７は、ショーのコンテンツ作成及びアップロードを示す、ショーのコンテンツ作成及びアップロード方法（３００）の概略図である。ユーザは、装置プラットフォームを選択する（３２０）。ユーザは、自分のブランドのプリファランスを選んで（３５０）、コンテンツ作成方法を選択し（４００）、フォトリアリスティックなトーキングヘッドのチャット（５１０）、フォトリアリスティックなトーキングヘッドのブログ（５２０）、フォトリアリスティックなトーキングヘッドのマルチメディア（５３０）、フォトリアリスティックなトーキングヘッドの電話（５６０）、又はフォトリアリスティックなトーキングヘッドのヴォイスメールのアプリケーション（５７０）のいずれかを使用して、フォトリアリスティックなトーキングヘッドのショーを作成する。ユーザは、手動でショーを調整し（６５０）、フォトリアリスティックなトーキングヘッドのチャットルームサーバ（７００）、フォトリアリスティックなトーキングヘッドのブログサーバ（７１０）、又はフォトリアリスティックなトーキングヘッド対応ソーシャルネットワークサーバ（７２０）などの適切なサーバへアップする。フォトリアリスティックなトーキングヘッドの電話又はヴォイスメールのアプリケーションを使用する場合、調整はソフトウェアプログラムによって行われ（６７５）、コンテンツは通信ネットワークサーバ（７３０）又はヴォイスメールサーバ（７４０）などの適切なサーバへ調整せずに送られる。
【０１２５】
図３８は、フォトリアリスティックなトーキングヘッドアプリケーション（３２０）とともに使用可能な選択装置プラットフォームの概略図であり、フォトリアリスティックなトーキングヘッドのアプリケーション用の選択装置プラットフォームを表す。選択装置プラットフォームは、携帯電話（３２５）、インターネットコンピュータ（３３０）、特定アプリケーション装置（３３５）、又は集中型装置（３４０）を含むが、それらに限定されない。特定アプリケーション装置は、消費者の又は業務用の装置を問わず、特定のタスクのために使用される装置である。特定アプリケーション装置の一例は、サーバへの無線アクセスが可能な携帯型在庫追跡装置である。集中型装置は、セルラーアクセス、Ｗｉｆｉ／ＷｉＭａｘ型アクセス、フルキーボード又はＱＷＥＲＴＹキーボード、電子メールアクセス、マルチメディア再生装置、ビデオカメラ、及びカメラ、又はその他の適した装置を含む。
【０１２６】
図３９は、送信側個人のブランド設定を含む、送信側個人ブランド設定の処理（３５０）を示す概略図である。ユーザは、パラメータ及びプリファランスが初期化されたか否かを問われる（３５５）。パラメータは、ユーザが設定したユーザ個人ブランドパラメータである。プリファランスは、ユーザがグループ及び／又は個人に与える識別子である。もし回答がｎｏの場合、ユーザはいずれかのパラメータ及びプリファランスを修正したいか否かを問われる（３６０）。（３５５）又は（３６０）に対する回答がｙｅｓの場合、ユーザは１つ以上のパラメータ及びプリファランスを作成又は修正する（３６５）。（３６５）が完了し、又は（３６０）に対してｎｏと回答すると、ユーザは、特定のイベント又は自分が関係するイベントに対してブランドプリファランスプロファイルを選択する（３７０）。その後、ユーザは、変更、作成、及びイベントプロファイルをサーバへ保存する（３７０）。
【０１２７】
図４０は、ショーのコンテンツ作成方法（４００）の概略図である。ユーザは、いずれかの装置（３２０）、又はその他の適した装置、リモートサーバシステムを介した作成支援装置（４１０）、又はローカルコンピュータシステム（フルバージョン）（４２０）及び／又はフォトリアリスティックなトーキングヘッドシステムを作成するのに適したその他のシステム及び／又は方法を使用してコンテンツを制作できる。
【０１２８】
図４１は、チャット、ブログ又はマルチメディアのアプリケーション用のフォトリアリスティックなトーキングヘッドのコンテンツを作成する処理（５００）の概略図である。ユーザがフォトリアリスティックなトーキングヘッドのアプリケーション（５０２）（５０４）（５０６）の中の１つを選択及び起動すると（４５０）、ユーザは自分の個人的なフォトリアリスティックなトーキングヘッド又は自分のキャラクターをアバターとして選び（５１０）、声の音声ファイルを記録し（５２０）、保存されフォトリアリスティックなトーキングヘッドのライブラリに関連付けられたスクリプトされた動きである動画のふるまいを任意で割り当て（５３０）、任意で背景画像を割り当て（５３５）、任意でテキスト及び／又は画像を割り当て（５４０）、任意でスライドショー及び／又はサウンドトラック音楽を割り当てる（５４５）。
【０１２９】
図４２は、電話又はヴォイスメールのアプリケーション用のフォトリアリスティックなトーキングヘッドのコンテンツを作成する処理（５５０）の概略図である。ユーザは、フォトリアリスティックなトーキングヘッドのライブラリを選択して自分のアバターとして使用し（５５２）、次に電話をかける（５５４）。電話がかかると、受話側が電話に出るか否かで分岐が発生する（５５６）。受話側が電話に出ると、電話のアプリケーションが開始する。受話側が電話に出ない場合、ヴォイスメールのアプリケーションが開始する。
【０１３０】
図４３は、フォトリアリスティックなトーキングヘッドの電話のアプリケーション（５６０）の概略図である。ユーザが話すと（５６１）、ユーザの音声データがサーバへ音声データとして送信される（５６２）。アプリケーションは、フォトリアリスティックなトーキングヘッドと音声データとを同期させ（５６３）、ショーに調整を加え（５６４）、プリファランス及びパラメータに基づく広告を挿入し（５６５）、すべてのデータを受話者に送信する（５６７）。電話の通話が終了するまで（５６７）、通話はこのループで継続される。
【０１３１】
図４４は、フォトリアリスティックなトーキングヘッドのヴォイスメールのアプリケーション（５７０）の概略図である。ユーザが話すと（５７１）、ユーザの音声データがサーバへ音声データとして送信される（５７３）。アプリケーションは、フォトリアリスティックなトーキングヘッドと音声データとを同期させ（５７５）、フォトリアリスティックなトーキングヘッドの音声データは、受信側が後で聞けるようにサーバに保存され（５７７）、通話は終了する（５７９）。
【０１３２】
図４５は、口合わせデータを埋め込む処理（５２０）の概略図である。声の音声が記録されると、ユーザはインターネット接続を介して音声ファイルを制作サーバへ送信する（５２２）。制作サーバ上の音声解析及び口合わせのアプリケーションは、音声ファイルを解析し、音素タイミング情報を音声ファイルに埋め込む（５２４）。その後、口合わせされた音声ファイルは、制作サーバのアセットライブラリに保存され（５２６）、インターネットを介してユーザに送信される（５２８）。ユーザは、埋め込まれた音素タイミング情報を用いて、口合わせが行われたフォトリアリスティックなトーキングヘッドの動画を動かす（５２９）。
【０１３３】
図４６は、ユーザのパラメータ及びプリファランスと受信側のパラメータ及びプリファランスとに関連付けられた言葉を適合させることによってブランディング（広告、パーソナルブランドなど）を挿入する処理を示す、ユーザのパラメータ及びプリファランスと受信側のパラメータ及びプリファランスとに関連付けられた言葉を適合させることによりブランディングを挿入する処理（８００）の概略図である。ユーザの音声チャネル信号は、サーバで音声認識アプリケーションを使用して解析される（８１０）。音声−テキスト変換結果は、キーワード適合アルゴリズムに渡される（８１２）。アプリケーションは、言葉が残っているか否かを決定するためにチェックを行う（８１３）。ｙｅｓならば、アプリケーションは、言葉がキーワードデータベースにあるか否かを確認するためにチェックを行う（８１４）。そうでない場合は、言葉を破棄する（８１６）。ユーザ及び受信側のパラメータを使用して、キーワードをブランドと適合させる（８１８）。ブランドのデータを、受信側の装置のブランド待ち行列に送信する（８２０）。ブランド履歴は、ユーザの連絡先情報及び会話と関連付けられる（８２４）。受信側がブランド待ち行列をクリックすると、会話と文脈上関係のあるブランド情報を閲覧できる（８２４）。さらに音声−テキスト変換結果がある場合、アプリケーションは次のブランドをダウンロードする（８２６）。
【０１３４】
図４７は、分散ウェブアプリケーションネットワークの概略図である（１４００）。携帯電話（３６０）、インターネットコンピュータ（３７０）、特定アプリケーション装置（３８０）、及び集中型装置（３９０）といった様々な装置（３２０）が、インターネット又は他のネットワーク（１４０２）を介してサーバのシステムにネットワーク接続される（１４０５）。サーバは、ウェブページ（１４３０）を含むショーサーバ（１４１０）、ウェブアプリケーション（１４５０）及びユーザアセット（１４５５）の仮想化インスタンスを含む制作サーバ（１４６０）、及びフォトリアリスティックなトーキングヘッドのアプリケーション（１４７５）を含むフォトリアリスティックなトーキングヘッドのサーバ（１４７０）を含むが、それらに限定されない。ユーザは、ウェブページ（１４９０）に埋め込まれたウェブブラウザ（１４８５）ベースの軽量フロントエンドのウェブツールクライアント（１４９２）を使用して、制作サーバ、ショーサーバ、及びフォトリアリスティックなトーキングヘッドサーバとインタフェースを行う。
【０１３５】
図４８は、別の分散ウェブアプリケーションネットワーク（１４０１）の概略図である。携帯電話（３６０）、インターネットコンピュータ（３７０）、特定アプリケーション装置（３８０）、及び集中型装置（３９０）といった様々な装置（３２０）が、インターネット（１４０２）及び／又は携帯電話ネットワーク（３５００）を介してサーバ（１４０５）のシステムにネットワーク接続される。サーバは、ウェブページ（１４３０）を含むショーサーバ（１４１０）、ウェブアプリケーション（１４５０）及びユーザアセット（１４５５）の仮想化インスタンスを含む制作サーバ（１４６０）、及びフォトリアリスティックなトーキングヘッドのアプリケーション（１４７５）を含むフォトリアリスティックなトーキングヘッドサーバ（１４７０）を含むが、それらに限定されない。ユーザは、ウェブページ（１４９０）に埋め込まれたウェブブラウザ（１４８５）ベースの軽量フロントエンドのウェブツールクライアント（１４９２）を使用して制作サーバ、ショーサーバ及びフォトリアリスティックなトーキングヘッドサーバとインタフェースを行う。
【０１３６】
本発明のフォトリアリスティックなトーキングヘッドシステムは、フォトリアリスティックなトーキングヘッドのライブラリ作成装置と、フォトリアリスティックなトーキングヘッドのライブラリ作成サーバ装置と、フォトリアリスティックなトーキングヘッドのコンテンツ作成装置と、フォトリアリスティックなトーキングヘッドのコンテンツ作成サーバ装置と、ブランド関連サーバ装置と、コンテンツ流通サーバ装置とを含む。
【０１３７】
フォトリアリスティックなトーキングヘッドのライブラリ作成装置及びフォトリアリスティックなトーキングヘッドのライブラリ作成サーバ装置は、本明細書及び／又は図面において、フォトリアリスティックなトーキングヘッドサーバと呼ぶこともあり、フォトリアリスティックなトーキングヘッドのライブラリの作成に関与する。
【０１３８】
フォトリアリスティックなトーキングヘッドのコンテンツ作成装置及びフォトリアリスティックなトーキングヘッドのコンテンツ作成サーバ装置は、本明細書及び／又は図面において制作サーバと呼ぶこともあり、フォトリアリスティックなトーキングヘッドのコンテンツの作成に関与する。
【０１３９】
コンテンツ流通サーバ装置は、本明細書及び／又は図面においてショーサーバと呼ぶこともあり、ブランド化したコンテンツの受信側への流通に関与する。
【０１４０】
図４９は、埋込口合わせシステム及び方法（１７００）の概略図である。ユーザは、マイク（１７４０）を使用して、ショー作成ツール（１７３０）で自分の声を録音する。音声データ（１７５０）は、インターネット（１４０２）を介して、制作サーバ（１７７０）上の自動音声解析及び口合わせアプリケーション（１７８０）に送信される。音声データは、音声認識ソフトウェアを用いて解析され、抽出された音素／持続時間情報は、音声ファイルのメタデータ部に統合され、音素／持続時間データ、音素−口形素（ｖｉｓｅｍｅ）変換テーブル及び複数の口合わせが対応づけられた１つの音声ファイル（１７８５）中の音声データを含むファイルフォーマットを作成する。ユーザのコンピュータ（１７９５）に返信されて再生装置（１７９８）で表示されるショーについて口合わせを動かす前に、複数の口合わせ対応付け音声ファイルは、制作サーバのアセットライブラリ（１７９０）に保存される。
【０１４１】
図５０は、フォトリアリスティックなトーキングヘッドの電話（２２００）の概略図である。発信者及び受話者の両方からの音声（２２３０）は、通信ネットワークの一部である制作サーバ（２２００）に常駐する音声解析及び口合わせアプリケーション（２２６０）によって解析される。ショーはコンパイルされ（２３１０）、音声−テキスト解析の出力（２３４０）は、ショーアセット（２３５０）とともにデータチャネルを介して送信され、その後それぞれの再生装置において発信者及び受話者のフォトリアリスティックなトーキングヘッドの口合わせのために使用される。
【０１４２】
図５１は、携帯情報装置に関する埋込口合わせシステム及び方法（１８００）の概略図である。ユーザは、マイク（１８１０）を使用してショー作成ツール（１８３０）で自分の声を録音する。音声データ（１８５０）は、通信ネットワーク（１８６０）を介して、制作サーバ（１８７０）上の音声解析及び口合わせアプリケーション（１８８０）へ送信される。音声データは、音声認識ソフトウェアを用いて解析され、抽出された音素／持続時間情報は、音声ファイルのメタデータ部に統合され、音素／持続時間データ、音素−口形素（ｖｉｓｅｍｅ）変換テーブル及び複数の口合わせが対応づけられた１つの音声ファイル（１８８５）中の音声データを含むファイルフォーマットを作成する。ユーザのウェブブラウザに返信されて再生装置（１８９４）で表示されるショーについて口合わせを動かす前に、複数の口合わせ対応付け音声ファイルは、制作サーバのアセットライブラリ（１８９０）に保存される。
【０１４３】
図５２は、音声駆動個人ブランド設定システム（１９００）の概略図である。送信側は、自分の装置（１９１０）を使用して、一連の個人ブランドパラメータ及び受信側のプリファランスを制作サーバ（１９８０）上のデータベース（２０３０）に設定する。受信側のプリファランスは、様々なブランドカテゴリにおける通常の購入プリファランスを示す。ユーザが音声通話をすると、自分の声が、通信ネットワーク又はホスト会社の一部である制作サーバ上に常駐する音声解析及び口合わせアプリケーション（１９９０）によって解析される。音声−テキスト解析（２０００）の出力は、サーバ上のブランドデータベース（２０５０）中の広告と関連付けられたキーワード（２０２０）のリストと比較される。キーワードのリストの項目と適合しない言葉は削除され、ブランド化されたキーワード（２０４０）のリストが残る。送信側の個人ブランドパラメータは、その後キーワードとともに使用され、特定のブランド（１９７０）を選択して受信側の装置（２０６０）に送信する。ブランドのタイトル又はタグラインは、フォトリアリスティックなトーキングヘッドの再生装置（１９６０）の下のブランドの待ち行列（１９４０）のウィンドウに表示される。その後、ブランドのリストは連絡先リスト（１９５０）に保存され、送信側のプロファイルと関連付けられる。受信側は、いつでも広告待ち行列上をクリックしてブランドのリストを閲覧し、１つを選んで再生装置に表示させることができる。
【０１４４】
図５３は、フォトリアリスティックなトーキングヘッドのヴォイスメール（２１００）の概略図である。装置を使用するユーザは、受信側のヴォイスメール上にメッセージを録音する。メッセージは、通信ネットワーク、内部ネットワーク、その他のネットワーク又はインターネットの一部である制作サーバ（１９８０）上に常駐する音声解析及び口合わせアプリケーション（１９９０）によって解析される。音声−テキスト解析の出力は、音声ファイルのメタデータに追加され、その後、送信側のフォトリアリスティックなトーキングヘッドの口合わせのために使用される。受信側が音声メッセージリスト（２１４５）中のメッセージをクリックすると、再生装置（２１２０）は録音された音声メッセージを再生し、送信側のフォトリアリスティックなトーキングヘッドが動画化されて、メッセージへの口合わせが行われる。
【０１４５】
図５４は、装置プラットフォーム及びリモートサーバシステムであり、あるいはフォトリアリスティックなトーキングヘッドウェブアプリケーション（１５００）とも呼ばれる。ウェブコンテンツ制作者は、ウェブコンテンツ制作者のコンピュータ（１５２０）上で、コンテンツ作成処理においてウェブコンテンツ制作者を案内するインターネットブラウザベースのウェブアプリケーション（１５１０）を起動する。ウェブコンテンツ制作者は、映像レコーダ（１５３０）を使用して、肩から上の部分が画面上に見えるようにして、“ａｒｍｙ  ｕ．ｆ．ｏ’ｓ”の言葉を言い、まばたきをし、眉を上げ、様々な感情を表現し、一連の順序だった頭部の位置のそれぞれに対して自分自身を記録する。三次元の人間の特徴から描画された、事前に作られたガイドのライブラリが使用されて、頭部の配置においてウェブコンテンツ制作者を支援する。映像データは、インターネットを介して制作サーバ（１６７０）に保存及び送信され、フォトリアリスティックなトーキングヘッドのコンテンツ作成システム（１６６０）の映像認識アプリケーション（１６９０）によって解析される。選択口形素（ｖｉｓｅｍｅ）を表す個別の映像フレームは、映像認識アプリケーションからの音素及びタイミングデータによって識別され、映像ファイルから抽出され、画素データ比較アルゴリズムを使用して互いに整列され、口、目又は頭部など、その位置について動きの両極端を表す部分のみを含むようにトリミングされる。その結果として生じたフォトリアリスティックなトーキングヘッドのライブラリのファイル（１７４０）は、制作サーバのアセットライブラリ（１７３０）に保存される。ウェブコンテンツ制作者は、音声レコーダ（１５４０）を介して自分の音声メッセージを録音する。音声レコーダからの音声データ（１５９０）は、インターネットを介して制作サーバに保存及び送信され、音声認識エンジンを用いて音声解析及び口合わせアプリケーション（１６８０）によって解析される。その結果として生じた音素タイミングは、適切な唇形状対応情報とともに音声ファイルのメタデータ部にコピーされ、口合わせ対応音声ファイル（１７２０）として制作サーバのアセットライブラリに保存される。ウェブコンテンツ制作者は、テキストエディタ（１５５０）を使用して、ショーにテキスト又はタイトルグラフィックスを追加できる。テキストエディタの出力は、テキストデータ（１６００）であり、それはインターネットを介して制作サーバへ送信され、テキストファイルとして制作サーバのアセットライブラリに保存される。制作サーバのアセットは、テキストファイル、音声ファイル、口合わせ対応音声ファイル、フォトリアリスティックなトーキングヘッド作成システムによって作成されたフォトリアリスティックなトーキングヘッドのファイル、他のキャラクター作成システム（１６５０）によって作成された他のオリジナル又はライセンスキャラクターのファイル（１６１０）、外部画像作成システム（１５７０）とすることができるが、それらに限定されない。外部画像作成システム（１５７０）は、フォトリアリスティックなトーキングヘッド又はショーの中で使用される他のキャラクターを囲むようにされた背���画像、映画、セット、又はその他の環境などの画像ファイル（１６２０）を作成するために使用される。これらの制作サーバのアセットは、ショーを作成するための素材であり、ショー作成手続きの様々な時点でアクセス可能であり、ショーコンパイラ（１７００）によってショーに組み込まれる。セグメントエディタ（１６４０）は、ショースクリプト（１７９０）において使用されるアセットを指定及び動画化するために使用される。様々なアセット（１７７０）がローカルアセットライブラリ（１６５０）にインポートされ、スクリプト化されたオブジェクトのふるまい並びに場面及び動画を定義する一連の命令を用いて、時系列に沿って動画化される。このショー情報は、ショーセグメントエディタからショーコンパイラに送られ、ショーコンパイラは、次にショースクリプトを作成及び暗号化し、ショーをウェブコンテンツ制作者のウェブページに組み込む。完成したショーは、ショーサーバ（１８００）上のショーのコンテンツライブラリ（１８１０）に保存される。その後、ショースクリプトは、他のユーザの装置（１８２０）によってインターネットを介してアクセスされて、ウェブブラウザ（１８３０）を介して再生装置（１８４０）で閲覧され、又はオペレーティングシステム（１８３５）に埋め込まれることが可能である。
【０１４６】
図５５は、ショーセグメントエディタアプリケーション（２４００）の概略図である。フォトリアリスティックなトーキングヘッドのライブラリ、声の音声ファイル、背景画像、及び小道具などのショーアセット（２４２０）は、ショーアセットリスト（２４３０）にインポートされる。それぞれのショーアセット（２４５０）は、時系列エディタ（２５１０）のトラックＩＤ部にドラッグされる。ショーアセットのふるまい（２４６０）は、頭部の動き、目の動き、腕の動き、体の動き、又はそのような動きの他の組み合わせなど、動画の事前に定義された再利用可能なシーケンスであって、入力順に時系列に沿って設置され、ショー動画を定義する。修正ショーアセットのプロパティインタフェース（２４９０）は、位置などのショーアセットのパラメータを調整し、順序を辿り、特定のふるまい又は音声ファイルをプレビューするための方法を提供する。ショーは、ショーセグメント（２４４０）として、ローカルアセットライブラリ（２４１０）にエクスポートされて保存される。
【０１４７】
図５６は、ショーコンパイルエディタアプリケーション（２６００）の概略図である。ショーコンパイルエディタ（２６１０）の内部から、ショーエクスプローラ（２６３５）は、ショーセグメント（２６４０）をショーコンポーザー（２６６０）にドラッグアンドドロップして、より長い、完全なショースクリプト（２６７０）を作成するために使用される。ショーは、プレビュー再生装置（２６５０）においてプレビュー可能である。制作者がショーのコンテンツに満足すると、完成したショースクリプトがショー暗号部（２６８０）で暗号化されて再生装置でのみ閲覧可能にしたり、及び／又はムービーメーカー（２６９０）にインポートされて、標準的なデジタルメディア再生装置で閲覧するためのムービー（２７５０）を作成するために使用されたりすることができる。ショーは、ローカルアセットライブラリ（２７３０）に保存され、ＦＴＰアップロードウィザード（２７１０）でインターネット（２７４０）を介してリモートウェブサーバへアップロードされる。アドレスブック（２７２０）は、利用可能なショーサーバ（２７６０）について、ＵＲＬ、ログイン及びパスワード情報を保存する。
【０１４８】
図５７は、ローカルアセットライブラリ（２８００）のディレクトリ構造の概略図である。ローカルアセットライブラリは、ショースクリプト（２８１０）、グラフィックス（２８２０）、音声（２８３０）、ダウンロードしたアセット（２８４０）、並びにアイコン、ボタン画像、及びウェブページの背景画像などのウェブページ構成要素アセット（２８５０）が入ったフォルダを含む。ローカルアセットライブラリのコンテンツ全体はまた、ローカルアセットライブラリ内の暗号化アセットライブラリ（２８６０）に暗号化された形で保存される。
【０１４９】
図５８は、暗号化アセットライブラリ（２８６０）のディレクトリ構造の概略図である。暗号化アセットライブラリは、暗号化ショースクリプト（２８７０）、暗号化グラフィックス（２８８０）、暗号化音声（２８９０）、暗号化ダウンロードアセット（２９００）、及びウェブページ構成要素アセット（２９１０）が入ったフォルダを含む。
【０１５０】
図５９は、ローカルアセットライブラリのグラフィックスアセット部（３０００）のディレクトリ構造の概略図である。グラフィカルアセットライブラリは、フォトリアリスティックなトーキングヘッドのライブラリ（３０１０）、その他のトーキングヘッドのライブラリ（３０２０）、背景画像（３０３０）、小道具（３０４０）、セット（３０５０）、スマートグラフィックス（３０６０）、イントロ／アウトログラフィックス（３０７０）、及びエラーメッセージグラフィックス（３０８０）が入ったフォルダを含む。
【０１５１】
図６０は、ローカルアセットライブラリの音声ライブラリ部（３１００）のディレクトリ構造の概略図である。音声ライブラリは、声の音声ファイル（３１１０）、口合わせタイミングファイル（３１２０）、コンピュータ生成音声モデル（３１３０）、ＭＩＤＩファイル（３１４０）、及び録音音響効果（３１５０）が入ったフォルダを含む。
【０１５２】
図６１は、音声解析及び口合わせアプリケーション（９００）の概略図である。制作者は、適切な録音アプリケーション（９３０）を使用して自分の声を録音し、それを音声ファイル（９７０）として保存し、対応する言葉を適したテキストエディタ（９２０）に入力し、その後テキストファイル（９６０）として保存する。テキストは、既存の保存されたテキストファイル、又はスクラッチパッド（１０００）に新しく入力されたテキストからテキストインターフェイスにインポートされる。次にテキストデータは、テキスト−音声変換エンジン（９４０）に送られ、ピッチ、音素、及び持続時間のデータ（１０１０）について解析される。ピッチ、音素、及び持続時間の値は、持続時間／ピッチグラフインタフェース（１０３０）に送信される。対応する声の音声ファイル（９７０）も同様に、持続時間／ピッチグラフインタフェースへインポートされる。ピッチ／音素／持続時間の値は、時系列に沿った移動可能なノード列として表される。垂直値は、ピッチの変化を表し、水平値は音素間の持続時間間隔の変化を表す。音素の音声ファイルへの同期の正確性は、ピッチ／音素／持続時間データから作成されたコンピュータ生成音声と人間の声の音声ファイルとの両方を同時に聞くことによって試験できる。２つのファイルの目視による比較は、音声／映像波形比較部（１０４０）において行うことができる。制作者がコンピュータによる音声と人間の音声との同期に満足したら、ピッチ及び持続時間値が出力スクリプトエディタ（１０９０）に送信され、そこで制作された個々のフレーズが一緒にされて、完全な音声スクリプト（１１００）を形成する。次に、音声スクリプトは、個々のフレーズにまた分割され、フレーズ中の言葉に基づいた名前をつけられ、順番に番号が割り当てられる。コンピュータ音声エディタ（１０７０）は、性別、頭部の大きさ、息使い、言葉の速度、イントネーションなど、音声品質を制御する多様なパラメータを調整することによって、新しい独特な響きの、コンピュータ生成キャラクター音声を作成するために使用できる。新しく作られたコンピュータ生成キャラクター音声は、既存のコンピュータキャラクター音声リスト（１０８０）に追加できる。ピッチ輪郭エディタ（１０２０）は、コンピュータ生成キャラクター音声の会話に表現と屈折を加えるために、ピッチシーケンスをカスタマイズするのに使用できる。カスタマイズされたピッチ輪郭又は基本輪郭は、再利用のために基本輪郭リスト（１０５０）に保存される。音素リスト（１０６０）は、基準として聞くことが可能な言葉における各利用可能音素のサンプル及び代表的な使用法を含む。
【０１５３】
図６２は、フォトリアリスティックなトーキングヘッドのコンテンツ制作システムとも呼ばれる、ローカルコンピュータ（フルバージョン）システム（１２００）の概略図である。制作者は、ツールを使用してコンテンツを作製するユーザであり、音声レコーダ（１２１０）によって自分の音声メッセージを録音する。音声レコーダからの音声ファイル（１２２０）は、ローカルアセットライブラリ（１３１０）に保存及びインポートされる。ローカルアセットライブラリ（１３１０）は、制作者又はエンドユーザのコンピュータ上にある格納保管場所であり、再生装置によってスクリプト中に呼び出されてショー作成のために使用される全ファイルを含む。音声メッセージを作成する際に話される一連の言葉を含む制作者のメッセージスクリプトは、テキストエディタ（１２３０）に入力される。テキストエディタによる出力は、ローカルアセットライブラリに保存されるテキストファイル（１２７０）である。音声解析及び口合わせアプリケーション（１３２０）の内部から、メッセージスクリプトのテキストファイルはインポートされ、次にテキスト−音声変換エンジンで解析されて、テキストは、記述された言葉の音素及び関連持続時間値へ変換される。次に、音素タイミング情報は、手動又は自動で制作者の元の記録音声ファイルと同期がとられ、ローカルアセットライブラリに口合わせタイミングファイル（１３２５）として保存される。ローカルアセットライブラリは、制作者のコンピュータに常駐するファイルを含み、このファイルはショー作成手続きにおける様々な時点でアクセスされる。ローカルアセットは、テキストファイル、音声ファイル、口合わせタイミングファイル、現特許（一部継続の基礎）からフォトリアリスティックなトーキングヘッド作成システム（１２４０）によって作成されたフォトリアリスティックなトーキングヘッドファイル（１２８０）、他のキャラクター作成システム（１２５０）によって作成された他のオリジナル又はライセンスキャラクターファイル（１２９０）、外部で作成された画像アセット（１３００）（フォトリアリスティックなトーキングヘッド又はショーの中で使用される他のキャラクターを囲むようにされた背景画像、映画、セット、又はその他の環境など）とすることができるが、これらに限定されない。このようなショーアセット（１３３０）は、ショーを作成するための素材である。ショーセグメントエディタ（１３４０）は、ショーセグメント（１３５０）を作成するために使用される。アセットファイルは、ローカルアセットライブラリからセグメントエディタにインポートされ、スクリプト化されたオブジェクトのふるまい並びに場面及び動画を定義するための一連の命令を用いて動画化される。ショーコンパイルエディタ（１３７０）は、再利用可能なイントロ、アウトロ、及び新しく作成された独自セグメントなどのショーセグメントを、長く完全なショースクリプト（１３８０）に組み立てるために使用されるアプリケーションである。完成したショーは、ローカルアセットライブラリに保存され、さらにプレビュー再生装置（１３６０）で閲覧できる。プレビュー再生装置（１３６０）は、スクリプトを読み込んでまだ暗号化されていないショーを表示することができる再生装置の１つの型で、制作者のコンピュータ上のセグメントエディタ及びショーコンパイルエディタに組み込むことができる。セグメントエディタは、ショースクリプトを暗号化することもでき、それによってショーコンパイルエディタによって暗号化されたショーを読み込むことだけできる再生装置（１３９４）を使用して、遠隔地のユーザのコンピュータ（１３９２）上でのみ閲覧されるようにできる。制作者は、アップロードウィザード（１３９０）を使用できる。アップロードウィザード（１３９０）は、コマンドに従って、手動又は自動でショースクリプト及びショーアセットを、インターネット（１３２０）を介して指定されたリモートウェブサーバ（１３４０）上のショーのコンテンツライブラリ（１３３０）にアップロードするツールである。
【０１５４】
図６３は、音声解析及び口合わせアプリケーションのグラフィカルユーザインタフェース（３２００）の概略図である。グラフィカルユーザインタフェースは、ソーステキストエディタ（９９０）、スクラッチパッド（１０００）、音素シーケンス（１０１０）、ピッチ輪郭エディタ（１０２０）、持続時間／ピッチエディタ（１０３０）、音声／映像波形比較部（１０４０）、コンピュータ生成キャラクター音声リスト（１０８０）、及び音素サンプルリスト（１０６０）と共に使用可能である。
【０１５５】
図６４は、制作セグメントエディタアプリケーションのグラフィカルユーザインタフェース（３３００）の概略図である。グラフィカルユーザインタフェースは、ショーアセットリスト（２４３０）、ショーアセット（２４５０）、アセットふるまい（２４６０）、プレビュー再生装置（２５００）、時系列エディタ（２５１０）、音声タイミングファイルコンバータ（３３１０）、及びふるまいアイコンリスト（３３２０）と共に使用可能である。
【０１５６】
図６５は、ショーコンパイルエディタアプリケーションのグラフィカルユーザインタフェース（３４００）の概略図である。グラフィカルユーザインタフェースは、ショープレビュー再生装置（２６５０）、ショーコンポーザー（２６６０）、ショーエクスプローラ、及びアドレスブックと共に使用可能である。
【０１５７】
Ｂ．ブランディングのフォトトーキングヘッドのコンテンツへの組み込み
図３７、３９、４３、４６〜４８、５０、５２、５４、及び６２は、ブランディングのフォトリアリスティックなヘッドのコンテンツへの組み込みの様々な態様を示し、既に説明済みである。
【０１５８】
ＩＶ．フォトトーキングヘッドのコンテンツの流通
図３７、４３、４４、４７〜５４、５６、及び６２は、フォトリアリスティックなヘッドのコンテンツの流通の様々な態様を示し、既に説明済みである。
【０１５９】
Ｖ．フォトトーキングヘッドのコンテンツの閲覧
図４７〜５４、６２、６６、及び８２は、フォトリアリスティックなヘッドのコンテンツの閲覧の様々な態様を示し、既に説明済みである。
【０１６０】
ＶＩ．追加の詳細
よって、フォトリアリスティックなトーキングヘッド作成、コンテンツ作成、及び流通システム及び方法は、少なくとも部分的に、次のように考えることができる。
【０１６１】
フォトリアリスティックなトーキングヘッドのライブラリを作成し、フォトリアリスティックなトーキングヘッドのコンテンツを作成し、ブランディングをコンテンツに挿入し、及びブランディングを含むコンテンツを分散型ネットワーク上で少なくとも１つの通信装置から少なくとも１つの他の通信装置へ流通するためのフォトリアリスティックなトーキングヘッドシステムを含むハードウェア装置において実行する処理であって、
前記フォトリアリスティックなトーキングヘッドシステムは、フォトリアリスティックなトーキングヘッドのライブラリ作成装置、フォトリアリスティックなトーキングヘッドのライブラリ作成サーバ装置、フォトリアリスティックなトーキングヘッドのコンテンツ作成装置、フォトリアリスティックなトーキングヘッドのコンテンツ作成サーバ装置、ブランド関連サーバ装置、及びコンテンツ流通サーバ装置を含み、前記処理は、
（ａ）前記フォトリアリスティックなトーキングヘッドのライブラリ作成装置において、フォトリアリスティックなトーキングヘッドのライブラリを作成するステップ、
（ｂ）前記フォトリアリスティックなトーキングヘッドのライブラリ作成サーバ装置において、前記フォトリアリスティックなトーキングヘッドのライブラリを保存するステップ、
（ｃ）前記フォトリアリスティックなトーキングヘッドのコンテンツ作成装置において、前記フォトリアリスティックなトーキングヘッドのコンテンツを作成するステップ、
（ｄ）前記フォトリアリスティックなトーキングヘッドのコンテンツ作成サーバ装置において、前記フォトリアリスティックなトーキングヘッドのコンテンツを保存するステップ、
（ｅ）前記フォトリアリスティックなトーキングヘッドのコンテンツ作成装置において、少なくとも１つのプロファイルを作成するステップ、
（ｆ）前記ブランド関連サーバ装置において、前記少なくとも１つのプロファイルを前記フォトリアリスティックなトーキングヘッドのコンテンツと相互に関連付けするステップ、
（ｇ）前記ブランド関連サーバ装置において、前記少なくとも１つのプロファイル、及び前記少なくとも１つのプロファイルと前記フォトリアリスティックなトーキングヘッドのコンテンツとの間の関連を識別する情報を保存するステップ、
（ｈ）前記フォトリアリスティックなトーキングヘッドシステムにおいて、保存した前記フォトリアリスティックなトーキングヘッドのコンテンツを前記少なくとも１つの他の通信装置へ送信する少なくとも１つの指示を、前記少なくとも１つの通信装置から受信するステップ、
（ｉ）前記フォトリアリスティックなトーキングヘッドのコンテンツ作成サーバ装置において、前記フォトリアリスティックなトーキングヘッドのコンテンツを取り出すステップ、
（ｊ）前記ブランド関連サーバ装置において、前記少なくとも１つのプロファイル及び前記フォトリアリスティックなトーキングヘッドのコンテンツとの間の関連を識別する情報を取り出すと共に、前記少なくとも１つのプロファイルを取り出すステップ、
（ｋ）前記ブランド関連サーバ装置において、前記少なくとも１つのプロファイルと関連付けられた少なくとも１つの保存されたブランドを取り出すステップ、
（ｌ）前記フォトリアリスティックなトーキングヘッドのコンテンツ作成サーバ装置において、前記少なくとも１つのプロファイル及び前記フォトリアリスティックなトーキングヘッドのコンテンツと関連付けられた前記少なくとも１つの保存されたブランドを、前記フォトリアリスティックなトーキングヘッドのコンテンツに組み込むステップ、
（ｍ）フォトリアリスティックなトーキングヘッドの前記コンテンツ流通サーバ装置から、前記少なくとも１つのプロファイル及び前記フォトリアリスティックなトーキングヘッドのコンテンツと関連付けられた前記少なくとも１つの保存されたブランドを含むフォトリアリスティックなトーキングヘッドのコンテンツを、前記少なくとも１つの他の通信装置へ送信するステップ、を含む。
【０１６２】
前記少なくとも１つのプロファイルは、前記少なくとも１つの通信装置の少なくとも１人のユーザと関連付けられた少なくとも１つのプロファイルを含み、及び／又は前記少なくとも１つのプロファイルは、前記少なくとも１つの他の通信装置の少なくとも１人のユーザと関連付けられた少なくとも１つのプロファイルを含んでもよい。
【０１６３】
したがって、前記少なくとも１つのプロファイルは、前記少なくとも１つの通信装置の少なくとも１人のユーザと関連付けられた少なくとも１つの第１のプロファイルと、前記少なくとも１つの他の通信装置の少なくとも１人の他のユーザと関連付けられた少なくとも１つの第２のプロファイルとを含んでもよい。
【０１６４】
前記少なくとも１つのプロファイル及び前記フォトリアリスティックなトーキングヘッドのコンテンツと関連付けられた前記少なくとも１つの保存されたブランドは、前記少なくとも１つのプロファイルと関連付けられた少なくとも１つの広告を含んでもよい。
【０１６５】
前記少なくとも１つのプロファイル及び前記フォトリアリスティックなトーキングヘッドのコンテンツと関連付けられた前記少なくとも１つの保存されたブランドは、前記少なくとも１つの第１のプロファイル及び前記少なくとも１つの第２のプロファイルと関連付けられた少なくとも１つの広告を含んでもよい。
【０１６６】
前記ブランド関連サーバ装置は、前記少なくとも１つのプロファイルと関連付けられた前記少なくとも１つの保存されたブランドを含んだ少なくとも１つのデータベースを含んでもよい。
【０１６７】
前記前記フォトリアリスティックなトーキングヘッドのライブラリ作成装置は、制御装置を含み、
前記配置テンプレートは、それぞれ互いに異なるとともに、配置テンプレートの頭部の傾き、配置テンプレートの頭部のうなずき及び配置テンプレートの頭部の回転要素を含む配置テンプレートの頭部の角度位置を有するフォトリアリスティックな人間のトーキングヘッドの配置テンプレートのフレームを表し、
前記配置テンプレートのフレームは、それぞれ互いに異なり、
前記配置テンプレートの頭部の角度位置は、それぞれ互いに異なり、
携帯端末はビデオカメラを備え、
前記フォトリアリスティックなトーキングヘッドのライブラリ作成装置は、前記ビデオカメラを備えた携帯端末を含み、
前記前記フォトリアリスティックなトーキングヘッドのライブラリ作成装置は、ミキサを含み、
前記携帯端末は、前記対象者への表示のためのディスプレイを含み、前記ディスプレイは、前記対象者が前記対象者の頭部の画像を選択された前記配置テンプレートの画像に合わせて容易に配置できるようにされており、
前記フォトリアリスティックなトーキングヘッドのライブラリ作成装置において、前記フォトリアリスティックなトーキングヘッドのライブラリを作成する前記ステップ（ａ）は、
前記制御装置によって、前記配置テンプレートのライブラリから前記配置テンプレートを選択するステップ、
前記ビデオカメラによって前記対象者の画像を収集するステップ、
前記端末装置によって前記対象者の収集画像を前記ミキサに送信するステップ、
前記ミキサによって、前記対象者の前記収集画像を選択された前記配置テンプレートの画像と前記ミキサにおいて混合し、それにより前記対象者及び選択された前記配置テンプレートの合成画像を作成するステップ、
前記ミキサから、前記合成画像を前記携帯端末に送信するステップ、
対象者の頭部の傾き、対象者の頭部のうなずき、及び対象者の頭部の回転成分を含む対象者の頭部の角度位置を有する前記対象者の前記頭部を、選択された前記配置テンプレートの頭部の画像に合わせて、選択された前記配置テンプレートの頭部の角度位置と実質的に同じ角度位置で、実質的に位置を合わせて配置するステップ、
前記携帯端末によって、前記実質的に位置を合わせて配置された前記対象者の画像を収集するステップ、
前記携帯端末によって、前記実質的に位置を合わせて配置された前記対象者の画像を前記フォトリアリスティックなトーキングヘッドのライブラリ作成サーバ装置へ送信するステップ、を少なくとも含み、
前記フォトリアリスティックなトーキングヘッドのライブラリ作成サーバ装置において前記フォトリアリスティックなトーキングヘッドのライブラリを保存する前記ステップ（ｂ）は、
前記フォトリアリスティックなトーキングヘッドのライブラリ作成サーバ装置によって、前記実質的に位置を合わせて配置された前記対象者の前記画像を、収集画像のライブラリに保存するステップを含み、
前記収集画像のそれぞれは異なる対象者の角度位置を有し、前記対象者の角度位置は、選択された前記配置テンプレートの頭部の角度位置と実質的に同じであり、
保存された前記画像のそれぞれは、フォトリアリスティックな人間のトーキングヘッドの異なるフレームを表す。
【０１６８】
前記フォトリアリスティックなトーキングヘッドのコンテンツは、フォトリアリスティックなトーキングヘッドのコンテンツ、対象者の発声に同期したフォトリアリスティックなトーキングヘッド、フォトリアリスティックなトーキングヘッド、フォトリアリスティックなトーキングヘッドの少なくとも一部、対象者の動画のふるまいを表現するフォトリアリスティックなトーキングヘッド、対象者の画像の少なくとも１つのフレーム、対象者の画像の少なくとも１つのフレームの少なくとも一部、対象者の画像の複数のフレーム、対象者の画像の少なくとも１つのフレームの複数の部分、対象者の複数の画像の複数のフレームの複数の部分、動画のフォトリアリスティックなトーキングヘッドを表す対象者の複数の画像の複数のフレーム、動画のフォトリアリスティックなトーキングヘッドを表すフォトリアリスティックなトーキングヘッドのライブラリの複数のフレーム、テキスト、少なくとも１つの画像、複数の画像、少なくとも１つの背景画像、複数の背景画像、少なくとも１つの映像、複数の映像、音声、音楽、マルチメディアコンテンツ、及びこれらの１つ以上のあらゆる組み合わせを含むグループからなる。
【０１６９】
前記フォトリアリスティックなトーキングヘッドのライブラリは、複数の保存画像を含み、前記複数の保存画像のそれぞれの保存画像は、前記フォトリアリスティックなトーキングヘッドのライブラリの対象者の画像の異なるフレームを表し、前記フォトリアリスティックなトーキングヘッドのライブラリ作成装置において、前記フォトリアリスティックなトーキングヘッドのライブラリを作成する前記ステップ（ａ）は、
前記フォトリアリスティックなトーキングヘッドのライブラリの前記対象者の画像の前記異なるフレームを表す前記複数の保存画像のそれぞれの保存画像を、複数の異なる音素の中の異なる音素に関連付けるステップをさらに含み、
前記フォトリアリスティックなトーキングヘッドのライブラリ作成サーバ装置において前記フォトリアリスティックなトーキングヘッドのライブラリを保存する前記ステップ（ｂ）は、
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す前記複数の保存画像の中のそれぞれの関連付けられた保存画像の関連を識別する情報を保存するステップ、及び前記複数の異なる音素の中の前記異なる音素を保存するステップ、をさらに含む。
【０１７０】
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す前記複数の保存画像の中のそれぞれの関連付けられた保存画像の関連を識別する情報を保存するステップは、
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す前記複数の保存画像の中のそれぞれの関連付けられた保存画像の関連を識別する情報を少なくとも１つのデータベースに保存するステップを含む。
【０１７１】
上記に続き、前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、前記対象者の声を表す少なくとも１つの音素を受信するステップ、
前記フォトリアリスティックなトーキングヘッドのコンテンツ作成装置において、前記対象者の声を表す前記少なくとも１つの音素とほぼ適合する、前記フォトリアリスティックなトーキングヘッドのコンテンツ作成装置に保存された複数の異なる音素の中の少なくとも１つの近接適合音素を決定するステップ、
前記フォトリアリスティックなトーキングヘッドのコンテンツ作成装置において、前記少なくとも１つの近接適合音素に対応する少なくとも１つの音素と、前記フォトリアリスティックなトーキングヘッドのライブラリの前記対象者の前記画像の前記異なるフレームを表す前記複数の保存画像の中のそれぞれの関連付けられた保存画像との間の関連を識別する前記情報を取り出すステップ、
前記フォトリアリスティックなトーキングヘッドのコンテンツ作成装置において、前記少なくとも１つの近接適合音素に対応する前記少なくとも１つの音素に対応する前記フォトリアリスティックなトーキングヘッドのライブラリの前記対象者の前記画像の前記異なるフレームを、前記フォトリアリスティックなトーキングヘッドのコンテンツに組み込むステップ、を少なくとも含む。
【０１７２】
前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、前記対象者の声を表す少なくとも２つの音素を受信するステップ、
前記フォトリアリスティックなトーキングヘッドのコンテンツ作成装置において、前記対象者の声を表す前記少なくとも２つの音素とほぼ適合する、前記フォトリアリスティックなトーキングヘッドのコンテンツ作成装置に保存された複数の異なる音素の中の少なくとも２つの近接適合音素を決定するステップ、
前記フォトリアリスティックなトーキングヘッドのコンテンツ作成装置において、前記少なくとも２つの近接適合音素に対応する少なくとも２つの音素と、前記フォトリアリスティックなトーキングヘッドのライブラリの前記対象者の前記画像の前記異なるフレームを表す前記複数の保存画像の中の少なくとも２つの関連付けられた保存画像との間の関連を識別する情報を取り出すステップ、
前記フォトリアリスティックなトーキングヘッドのコンテンツ作成装置において、前記少なくとも２つの近接適合音素に対応する前記少なくとも２つの音素に対応する前記フォトリアリスティックなトーキングヘッドのライブラリの前記対象者の前記画像の前記異なるフレームを、前記フォトリアリスティックなトーキングヘッドのコンテンツに組み込むステップを少なくとも含んでもよい。
【０１７３】
上記に続き、前記少なくとも２つの音素は、一連の複数の音素を含んでもよい。
【０１７４】
前記フォトリアリスティックなトーキングヘッドのライブラリは、複数の保存画像を含み、前記複数の保存画像のそれぞれの保存画像は前記フォトリアリスティックなトーキングヘッドのライブラリの対象者の画像の異なるフレームを表し、前記フォトリアリスティックなトーキングヘッドのライブラリ作成装置において、前記フォトリアリスティックなトーキングヘッドのライブラリを作成する前記ステップ（ａ）は、
前記フォトリアリスティックなトーキングヘッドのライブラリの前記対象者の画像の前記異なるフレームを表す前記複数の保存画像のそれぞれの保存画像を、複数の異なる音素の中の異なる音素に関連付けるステップをさらに含み、
前記フォトリアリスティックなトーキングヘッドのライブラリ作成サーバ装置において前記フォトリアリスティックなトーキングヘッドのライブラリを保存する前記ステップ（ｂ）は、
前記フォトリアリスティックなトーキングヘッドのライブラリ作成サーバ装置において、前記複数の異なる音素の中の前記異なる音素と関連付けられた前記フォトリアリスティックなトーキングヘッドのライブラリの前記対象者の前記画像の前記異なるフレームを表す複数の保存画像の中の前記それぞれの関連付けられた保存画像の関連を識別する情報を保存するステップ、及び前記複数の異なる音素の中の前記異なる音素を保存するステップ、をさらに含む。
【０１７５】
上記に続き、前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、対象者の声を表す少なくとも１つの音素を受信するステップ、
前記フォトリアリスティックなトーキングヘッドのコンテンツ作成装置において、前記対象者の声を表す前記少なくとも１つの音素とほぼ適合する、前記フォトリアリスティックなトーキングヘッドのコンテンツ作成装置に保存された複数の異なる音素の中の少なくとも１つの近接適合音素を決定するステップ、
前記フォトリアリスティックなトーキングヘッドのコンテンツ作成装置において、前記少なくとも１つの近接適合音素に対応する少なくとも１つの音素と、前記フォトリアリスティックなトーキングヘッドのライブラリの前記対象者の前記画像の前記異なるフレームを表す前記複数の保存画像の中のそれぞれの関連付けられた保存画像との間の関連を識別する前記情報を取り出すステップ、
前記フォトリアリスティックなトーキングヘッドのコンテンツ作成装置において、前記少なくとも１つの近接適合音素に対応する前記少なくとも１つの音素に対応する前記フォトリアリスティックなトーキングヘッドのライブラリの前記対象者の前記画像の前記異なるフレームを、前記フォトリアリスティックなトーキングヘッドのコンテンツに組み込むステップ、を少なくとも含む。
【０１７６】
この場合も、前記少なくとも１つのプロファイルは、前記少なくとも１つの通信装置の少なくとも１人のユーザと関連付けられた少なくとも１つのプロファイルを含んでもよい。
【０１７７】
この場合も、前記少なくとも１つのプロファイルは、前記少なくとも１つの他の通信装置の少なくとも１人のユーザと関連付けられた少なくとも１つのプロファイルを含んでもよい。
【０１７８】
さらにこの場合も、前記少なくとも１つのプロファイルは、前記少なくとも１つの通信装置の少なくとも１人のユーザと関連付けられた少なくとも１つの第１のプロファイルと、前記少なくとも１つの他の通信装置の少なくとも１人の他のユーザと関連付けられた少なくとも１つの第２のプロファイルとを含んでもよい。
【０１７９】
さらにこの場合も、前記少なくとも１つのプロファイル及び前記フォトリアリスティックなトーキングヘッドのコンテンツと関連付けられた前記少なくとも１つの保存されたブランドは、前記少なくとも１つのプロファイルと関連付けられた少なくとも１つの広告を含む。
【０１８０】
上記に続き、前記少なくとも１つのプロファイル及び前記フォトリアリスティックなトーキングヘッドのコンテンツと関連付けられた前記少なくとも１つの保存されたブランドは、前記少なくとも１つの第１のプロファイル及び前記少なくとも１つの第２のプロファイルと関連付けられた少なくとも１つの広告を含む。
【０１８１】
上記に続き、前記ブランド関連サーバ装置は、前記少なくとも１つのプロファイルと関連付けられた前記少なくとも１つの保存されたブランドを含む少なくとも１つのデータベースを含む。
【０１８２】
この場合も、前記フォトリアリスティックなトーキングヘッドのコンテンツ作成装置において、前記フォトリアリスティックなトーキングヘッドのコンテンツを作成する前記ステップ（ｃ）は、
前記フォトリアリスティックなトーキングヘッドのコンテンツ作成装置において、対象者の声を表す少なくとも２つの音素を受信するステップ、
前記フォトリアリスティックなトーキングヘッドのコンテンツ作成装置において、前記対象者の声を表す前記少なくとも２つの音素とほぼ適合する、前記フォトリアリスティックなトーキングヘッドのコンテンツ作成装置に保存された複数の異なる音素の中の少なくとも２つの近接適合音素を決定するステップ、
前記フォトリアリスティックなトーキングヘッドのコンテンツ作成装置において、前記少なくとも２つの近接適合音素に対応する少なくとも２つの音素と、前記フォトリアリスティックなトーキングヘッドのライブラリの前記対象者の前記画像の前記異なるフレームを表す前記複数の保存画像の中の少なくとも２つ関連付けられた保存画像との間の関連を識別する情報を取り出すステップ、
前記フォトリアリスティックなトーキングヘッドのコンテンツ作成装置において、前記少なくとも２つの近接適合音素に対応する前記少なくとも２つの音素に対応する前記フォトリアリスティックなトーキングヘッドのライブラリの前記対象者の前記画像の前記異なるフレームを、前記フォトリアリスティックなトーキングヘッドのコンテンツに組み込むステップを少なくとも含んでもよい。
【０１８３】
特定の好ましい態様を参照して本発明を非常に詳細に説明したが、他の態様も可能である。したがって、添付の請求の範囲の精神及び範囲は、本明細書中に含まれる好ましい特定の型の説明に限定されるものではない。
【図１】
2011519079.tif 000003
【図２】
2011519079.tif 000004
【図３】
2011519079.tif 000005
【図４】
2011519079.tif 000006
【図５】
2011519079.tif 000007
【図６】
2011519079.tif 000008
【図７】
2011519079.tif 000009
【図８】
2011519079.tif 000010
【図９】
2011519079.tif 000011
【図１０】
2011519079.tif 000012
【図１１】
2011519079.tif 000013
【図１２】
2011519079.tif 000014
【図１３】
2011519079.tif 000015
【図１４】
2011519079.tif 000016
【図１５】
2011519079.tif 000017
【図１６】
2011519079.tif 000018
【図１７】
2011519079.tif 000019
【図１８Ａ】
2011519079.tif 000020
【図１８Ｂ】
2011519079.tif 000021
【図１８Ｃ】
2011519079.tif 000022
【図１９】
2011519079.tif 000023
【図２０】
2011519079.tif 000024
【図２１】
2011519079.tif 000025
【図２２】
2011519079.tif 000026
【図２３】
2011519079.tif 000027
【図２４】
2011519079.tif 000028
【図２５】
2011519079.tif 000029
【図２６】
2011519079.tif 000030
【図２７】
2011519079.tif 000031
【図２８】
2011519079.tif 000032
【図２９】
2011519079.tif 000033
【図３０】
2011519079.tif 000034
【図３１】
2011519079.tif 000035
【図３２】
2011519079.tif 000036
【図３３】
2011519079.tif 000037
【図３４】
2011519079.tif 000038
【図３５】
2011519079.tif 000039
【図３６】
2011519079.tif 000040
【図３７】
2011519079.tif 000041
【図３８】
2011519079.tif 000042
【図３９】
2011519079.tif 000043
【図４０】
2011519079.tif 000044
【図４１】
2011519079.tif 000045
【図４２】
2011519079.tif 000046
【図４３】
2011519079.tif 000047
【図４４】
2011519079.tif 000048
【図４５】
2011519079.tif 000049
【図４６】
2011519079.tif 000050
【図４７】
2011519079.tif 000051
【図４８】
2011519079.tif 000052
【図４９】
2011519079.tif 000053
【図５０】
2011519079.tif 000054
【図５１】
2011519079.tif 000055
【図５２】
2011519079.tif 000056
【図５３】
2011519079.tif 000057
【図５４】
2011519079.tif 000058
【図５５】
2011519079.tif 000059
【図５６】
2011519079.tif 000060
【図５７】
2011519079.tif 000061
【図５８】
2011519079.tif 000062
【図５９】
2011519079.tif 000063
【図６０】
2011519079.tif 000064
【図６１】
2011519079.tif 000065
【図６２】
2011519079.tif 000066
【図６３】
2011519079.tif 000067
【図６４】
2011519079.tif 000068
【図６５】
2011519079.tif 000069
【図６６】
2011519079.tif 000070
【図６７】
2011519079.tif 000071
【図６８】
2011519079.tif 000072
【図６９】
2011519079.tif 000073
【図７０】
2011519079.tif 000074
【図７１】
2011519079.tif 000075
【図７２】
2011519079.tif 000076
【図７３】
2011519079.tif 000077
【図７４】
2011519079.tif 000078
【図７５】
2011519079.tif 000079
【図７６】
2011519079.tif 000080
【図７７】
2011519079.tif 000081
【図７８】
2011519079.tif 000082
【図７９】
2011519079.tif 000083
【図８０】
2011519079.tif 000084
【図８１】
2011519079.tif 000085
【図８２】
2011519079.tif 000086
【国際調査報告】
2011519079.tif 000087